(57)【特許請求の範囲】
【請求項１】
無線通信システムにおける基地局によるサービングセルの活性化／非活性化をサポートする方法において、
端末にサポート可能なＭ個のサービングセルを設定し、
前記Ｍ個のサービングセルの各々の活性化／非活性化を指示するための指示子を設定し、
前記指示子を前記端末に送信することを含み、
前記指示子は、ビット列で構成され、
前記ビット列で、活性化されるサービングセルのサービングセルインデックスに対応するビットは１に設定され、非活性化されるサービングセルのサービングセルインデックスに対応するビットは０に設定されるサービングセルの活性化／非活性化サポート方法。
【請求項２】
前記指示子は、媒体アクセス制御(ＭＡＣ)要素の形式で前記端末に送信され、
前記指示子は、８ビットのビット列で構成し、
前記８ビットのビット列は、最下位ビット(ＬＳＢ)から昇順に０番目のビットから７番目のビットで整列され、前記Ｍ個のサービングセルの各々に対する活性化／非活性化を指示する
請求項１に記載のサービングセルの活性化／非活性化サポート方法。
【請求項３】
前記Ｍ個のサービングセルは、Ｍ−１個の副サービングセルを含み、
前記Ｍ−１の副サービングセルは、前記ビット列の１番目のビットと７番目のビットとの間に対応される
請求項２に記載のサービングセルの活性化／非活性化サポート方法。
【請求項４】
前記Ｍ個のサービングセルは、主サービングセルを含み、
前記主サービングセルの活性化／非活性化は、前記ビット列によって指示されない
請求項２に記載のサービングセルの活性化／非活性化サポート方法。
【請求項５】
前記Ｍ個のサービングセルは、一つの主サービングセル及びＭ−１個の副サービングセルを含み、
前記基地局は、前記Ｍ−１個の副サービングセルに対して前記基地局の費用関数(ｃｏｓｔ ｆｕｎｃｔｉｏｎ)を考慮して前記指示子を設定する
請求項１に記載のサービングセルの活性化／非活性化サポート方法。
【請求項６】
前記ビット列内の一つのビットは、予備(Ｒｅｓｅｒｖｅｄ)ビットで設定される
請求項１に記載のサービングセルの活性化／非活性化サポート方法。
【請求項７】
無線通信システムにおける端末によるサービングセルの活性化／非活性化をサポートする方法において、
前記端末にサポート可能なＭ個のサービングセルの各々の活性化／非活性化を指示するための指示子を受信し、
前記指示子に基づいて活性化されたサービングセルを用いることにより、ダウンリンク制御チャネル及びダウンリンクデータチャネルを基地局から受信し、アップリンクデータチャネルを前記基地局に送信することを含み、
前記指示子は、ビット列で構成され、
前記ビット列で、活性化されたサービングセルのサービングセルインデックスに対応するビットは１に設定され、非活性化されたサービングセルのサービングセルインデックスに対応するビットは０に設定されるサービングセルの活性化／非活性化サポート方法。
【請求項８】
前記指示子は、媒体アクセス制御(ＭＡＣ)要素の形式で送信される
請求項７に記載のサービングセルの活性化／非活性化サポート方法。
【請求項９】
前記指示子は、８ビットのビット列で構成し、
前記８ビットのビット列は、最下位ビット(ＬＳＢ)から昇順に０番目のビットから７番目のビットで整列され、前記Ｍ個のサービングセルの各々に対する活性化／非活性化を指示する
請求項８に記載のサービングセルの活性化／非活性化サポート方法。
【請求項１０】
前記Ｍ個のサービングセルは、Ｍ−１個の副サービングセルを含み、
前記Ｍ−１の副サービングセルは、前記ビット列の１番目のビットと７番目のビットとの間に対応される
請求項９に記載のサービングセルの活性化／非活性化サポート方法。
【請求項１１】
前記Ｍ個のサービングセルは、主サービングセルを含み、
前記主サービングセルの活性化／非活性化は、前記ビット列によって指示されない
請求項９に記載のサービングセルの活性化／非活性化サポート方法。
【請求項１２】
前記ビット列内の一つのビットは、予備(Ｒｅｓｅｒｖｅｄ)ビットで設定される
請求項７に記載のサービングセルの活性化／非活性化サポート方法。
【請求項１３】
無線通信システムにおけるサービングセルの活性化／非活性化をサポートする基地局において、
前記端末にサポート可能なＭ個のサービングセルを設定する活性化集合設定部と、
前記Ｍ個のサービングセルの各々の活性化／非活性化を指示する指示子を生成する活性化指示子生成部と、
前記指示子を前記端末に送信するメッセージ送信部とを含み、
前記指示子は、ビット列で構成され、
前記ビット列で、活性化されるサービングセルのサービングセルインデックスに対応するビットは１に設定され、非活性化されるサービングセルのサービングセルインデックスに対応するビットは０に設定される基地局。
【請求項１４】
前記指示子は、媒体アクセス制御(ＭＡＣ)要素の形式で前記端末に送信され、
前記指示子は、８ビットのビット列で構成し、
前記８ビットのビット列は、最下位ビット(ＬＳＢ)から昇順に０番目のビットから７番目のビットで整列され、前記Ｍ個のサービングセルの各々の活性化／非活性化を指示する
請求項１３に記載の基地局。
【請求項１５】
前記Ｍ個のサービングセルは、Ｍ−１個の副サービングセルを含み、
前記Ｍ−１個の副サービングセルは、前記ビット列の１番目のビットと７番目のビットとの間に対応される
請求項１４に記載の基地局。
【請求項１６】
前記Ｍ個のサービングセルは、主サービングセルを含み、
前記主サービングセルの活性化／非活性化は、前記ビット列によって指示されない
請求項１４に記載の基地局。
【請求項１７】
前記Ｍ個のサービングセルは、一つの主サービングセル及びＭ−１個の副サービングセルを含み、
前記活性化指示子生成部は、前記Ｍ−１個の副サービングセルに対して前記基地局の費用関数(ｃｏｓｔ ｆｕｎｃｔｉｏｎ)を考慮して前記指示子を設定する
請求項１３に記載の基地局。
【請求項１８】
前記活性化指示子生成部は、前記ビット列内の一つのビットを予備(Ｒｅｓｅｒｖｅｄ)ビットで設定する
請求項１３に記載の基地局。
【請求項１９】
無線通信システムにおけるサービングセルの活性化／非活性化をサポートする端末において、
前記端末にサポート可能なＭ個のサービングセルの各々の活性化／非活性化を指示するための指示子を基地局から受信する送受信部と、
前記指示子に基づいて活性化されたサービングセルを用いることにより、ダウンリンク制御チャネル及びダウンリンクデータチャネルの受信を制御し、アップリンクデータチャネルの送信の制御する制御部と、を含み、
前記指示子は、ビット列で構成され、
前記ビット列で、活性化されたサービングセルのサービングセルインデックスに対応するビットは１に設定され、非活性化されるサービングセルのサービングセルインデックスに対応するビットは０に設定される端末。
【請求項２０】
前記指示子は、媒体アクセス制御(ＭＡＣ)要素の形式で送信される
請求項１９に記載の端末。
【請求項２１】
前記指示子は、８ビットのビット列で構成し、
前記８ビットのビット列は、最下位ビット(ＬＳＢ)から昇順に０番目のビットから７番目のビットで整列され、前記Ｍ個のサービングセルの各々の活性化／非活性化を指示する
請求項１９に記載の端末。
【請求項２２】
前記Ｍ個のサービングセルは、Ｍ−１個の副サービングセルを含み、
前記Ｍ−１個の副サービングセルは、前記ビット列の１番目のビットと７番目のビットとの間に対応される
請求項２１に記載の端末。
【請求項２３】
前記Ｍ個のサービングセルは、主サービングセルを含み、
前記主サービングセルの活性化／非活性化は、前記ビット列によって指示されない
請求項２１に記載の端末。
【請求項２４】
前記ビット列内の一つのビットは、予備(Ｒｅｓｅｒｖｅｄ)ビットで設定される
請求項１９に記載の端末。
【請求項２５】
多重コンポーネントキャリアをサポートする無線通信システムにおける基地局によるコンポーネントキャリアの活性化／非活性化をサポートする方法において、
端末にサポート可能なＭ個のコンポーネントキャリアを設定し、
前記Ｍ個のコンポーネントキャリアの各々の活性化／非活性化を指示するための指示子を設定し、
前記指示子を前記端末に送信することを含み、
前記指示子は、ビット列で構成され、
前記ビット列で、活性化されるコンポーネントキャリアのインデックスに対応するビットは１に設定され、非活性化されるコンポーネントキャリアのインデックスに対応するビットは０に設定されるコンポーネントキャリアの活性化／非活性化サポート方法。
【請求項２６】
多重コンポーネントキャリアをサポートする無線通信システムにおける端末によるコンポーネントキャリアの活性化／非活性化をサポートする方法において、
前記端末にサポート可能なＭ個のコンポーネントキャリアの各々の活性化／非活性化を指示するための指示子を基地局から受信し、
前記指示子に基づいて活性化されたコンポーネントキャリアを用いることにより、ダウンリンク制御チャネル及びダウンリンクデータチャネルを前記基地局から受信し、アップリンクデータチャネルを前記基地局に送信することを含み、
前記指示子は、ビット列で構成され、
前記ビット列で、活性化されたコンポーネントキャリアのインデックスに対応するビットは１に設定され、非活性化されたコンポーネントキャリアのインデックスに対応するビットは０に設定されるコンポーネントキャリアの活性化／非活性化サポート方法。
【請求項２７】
多重コンポーネントキャリアをサポートする無線通信システムにおけるコンポーネントキャリアの活性化／非活性化をサポートする基地局において、
端末にサポート可能なＭ個のコンポーネントキャリアを設定する活性化集合設定部と、
前記Ｍ個のコンポーネントキャリアの各々の活性化／非活性化を指示する指示子を設定する活性化指示子生成部と、
前記指示子を前記端末に送信するメッセージ送信部と、を含み、
前記指示子は、ビット列で構成され、
前記ビット列で、活性化されるコンポーネントキャリアのインデックスに対応するビットは１に設定され、非活性化されるコンポーネントキャリアのインデックスに対応するビットは０に設定される基地局。
【請求項２８】
多重コンポーネントキャリアをサポートする無線通信システムにおけるコンポーネントキャリアの活性化／非活性化をサポートする端末において、
前記端末にサポート可能なＭ個のコンポーネントキャリアの各々の活性化／非活性化を指示するための指示子を基地局から受信する送受信部と、
前記指示子に基づいて活性化されたコンポーネントキャリアを用いることにより、前記基地局からのダウンリンク制御チャネル及びダウンリンクデータチャネルの受信を制御し、前記基地局へアップリンクデータチャネルの送信を制御する制御部と、を含み、
前記指示子は、ビット列で構成され、
前記ビット列で、活性化されたコンポーネントキャリアのインデックスに対応するビットは１に設定され、非活性化されたコンポーネントキャリアのインデックスに対応するビットは０に設定される端末。
【請求項２９】
前記Ｍ個のコンポーネントキャリアの各々は、前記端末に構成されたコンポーネントキャリアであり、各々のコンポーネントキャリアは、前記基地局と前記端末との間での情報の送信及び受信のためのセルであり、前記セルは、アップリンクコンポーネントキャリアとダウンリンクコンポーネントキャリアとの間の結合を有する
請求項２５に記載のコンポーネントキャリアの活性化／非活性化サポート方法。
【請求項３０】
前記Ｍ個のコンポーネントキャリアの各々の活性化または非活性化は、
前記端末の電力特性、ＲＦ装置特性、基底帯域送受信方式、アンテナ個数、前記端末での受信電力または干渉電力または雑音電力または二つの電力の和または受信電力対干渉電力または受信電力対干渉電力及び雑音電力の比率を含むリンク性能、使用可能なＣＣのうち少なくとも一つと、
前記基地局の前記制御チャネルと前記データチャネルの各々に対応する独立的なリソース使用率、前記端末のＣＣ個数を考慮したバッテリ電力消耗、ダイバーシティ利得、前記基地局のＣＣ個数を考慮したシステム信頼性のうち少なくとも一つとを考慮して決定される
請求項２５に記載のコンポーネントキャリアの活性化／非活性化サポート方法。
【請求項３１】
前記Ｍ個のコンポーネントキャリアの各々は、前記端末に構成されたコンポーネントキャリアであり、各々のコンポーネントキャリアは、前記基地局と前記端末との間での情報の送信及び受信のためのセルであり、前記セルは、アップリンクコンポーネントキャリアとダウンリンクコンポーネントキャリアとの間の結合を有する
請求項２６に記載のコンポーネントキャリアの活性化／非活性化サポート方法。
【請求項３２】
前記Ｍ個のコンポーネントキャリアの各々は、前記端末に構成されたコンポーネントキャリアであり、各々の前記コンポーネントキャリアは、前記基地局と前記端末との間での情報の送信及び受信のためのセルであり、前記セルは、アップリンクコンポーネントキャリアとダウンリンクコンポーネントキャリアとの間の結合を有する
請求項２７に記載のコンポーネントキャリアの活性化／非活性化をサポートする基地局。
【請求項３３】
前記活性化集合設定部は、
前記端末の電力特性、ＲＦ装置特性、基底帯域送受信方式、アンテナ個数、前記端末での受信電力または干渉電力または雑音電力または二つの電力の和または受信電力対干渉電力または受信電力対干渉電力及び雑音電力の比率を含むリンク性能、使用可能なＣＣのうち少なくとも一つと、
前記基地局の前記制御チャネルと前記データチャネルの各々に対応する独立的なリソース使用率、前記端末のＣＣ個数を考慮したバッテリ電力消耗、ダイバーシティ利得、前記基地局のＣＣ個数を考慮したシステム信頼性のうち少なくとも一つとを考慮して前記Ｍ個のコンポーネントキャリアの各々の活性化または非活性化を決定する
請求項２７に記載のコンポーネントキャリアの活性化／非活性化をサポートする基地局。
【請求項３４】
前記Ｍ個のコンポーネントキャリアの各々は、前記端末に構成されたコンポーネントキャリアであり、各々のコンポーネントキャリアは、前記基地局と前記端末との間での情報の送信及び受信のためのセルであり、前記セルは、アップリンクコンポーネントキャリアとダウンリンクコンポーネントキャリアとの間の結合を有する
請求項２８に記載の端末。
【発明の詳細な説明】
【技術分野】
【０００１】
本発明は、無線通信システムに関し、特に複数のコンポーネントキャリアを使用する無線通信システムにおけるコンポーネントキャリアに対する活性化集合を構成し、これに基づいて生成される活性化情報を送受信する装置及び方法に関する。
【背景技術】
【０００２】
次世代無線通信システムの要求条件のうち最も重要な条件は、高いデータ送信率要求量をサポートすることである。このために、多重入力多重出力(Ｍｕｌｔｉｐｌｅ Ｉｎｐｕｔ Ｍｕｌｔｉｐｌｅ Ｏｕｔｐｕｔ；ＭＩＭＯ)、ＣｏＭＰ(Ｃｏｏｐｅｒａｔｉｖｅ Ｍｕｌｔｉｐｌｅ Ｐｏｉｎｔ ｔｒａｎｓｍｉｓｓｉｏｎ)、リレイ(ｒｅｌａｙ)等、多様な技術が研究されているが、最も基本的で、且つ安定した解決方案は、帯域幅を増やすことである。
【０００３】
然しながら、現在、周波数リソースは飽和状態であり、多様な技術が広範囲な周波数帯域で部分的に使われている実情である。このような理由に因り、高いデータ送信率要求量を充たすために広帯域帯域幅を確保するための方案として、散在している帯域の各々が独立的なシステムを動作することができる基本的な要求事項を充たすように設計し、複数の帯域を一つのシステムにする概念であるキャリア集合体(ｃａｒｒｉｅｒ ａｇｇｒｅｇａｔｉｏｎ；以下、“ＣＡ”という)を導入している。この時、各々の独立的な運用が可能な帯域を、コンポーネントキャリア(ｃｏｍｐｏｎｅｎｔ ｃａｒｒｉｅｒ；以下、“ＣＣ”という)と定義する。
【０００４】
これと関連して次世代無線通信システムではサービス要求事項を充たすための具体的な方案が必要な実情である。
【発明の概要】
【発明が解決しようとする課題】
【０００５】
本発明は、次世代無線通信システムにおけるサービス要求事項を充たす複数のコンポーネントキャリアで構成されたシステム及び方法を提供する。
【０００６】
また、本発明は、複数のコンポーネントキャリアを使用する無線通信システムにおける特定情報に対応して活性化集合を設定する方法及び装置を提供する。
【０００７】
また、本発明は、複数のコンポーネントキャリアを使用する無線通信システムにおける特定情報に対応して設定された活性化集合に基づいて活性化指示子を生成する方法及び装置を提供する。
【０００８】
また、本発明は、複数のコンポーネントキャリアを使用する無線通信システムにおける特定情報に対応して設定されたコンポーネントキャリアの活性化及び非活性化を指示する方法及び装置を提供する。
【０００９】
また、本発明は、複数のコンポーネントキャリアを使用する無線通信システムで選択したコンポーネントキャリアの活性化を指示する活性化指示子を送受信する装置及び方法を提供する。
【００１０】
また、本発明は、複数のコンポーネントキャリアを使用する無線通信システムで選択したコンポーネントキャリアの非活性化を指示する活性化指示子を送受信する装置及び方法を提供する。
【００１１】
また、本発明は、複数のコンポーネントキャリアを使用する無線通信システムで選択したコンポーネントキャリアの活性化または非活性化を指示する活性化指示子を定められた長さのビットマップで設定して送受信する装置及び方法を提供する。
【００１２】
また、本発明は、無線通信システムでＳＩＢ２連結設定された副サービングセルの活性化または非活性化を指示する活性化指示子を、コンポーネントキャリアインデックスを指示する情報と同じ長さに設定して、送受信する装置及び方法を、提供する。
【００１３】
また、本発明は、無線通信システムでＳＩＢ２連結設定された副サービングセルの活性化または非活性化を指示する活性化指示子を、媒体アクセス制御(ＭＡＣ)シグナリングを介して送受信する装置及び方法を、提供する。
【００１４】
本発明の更なる特徴は、以下の記述において説明され、ある程度に当該記録から明らかにされるか、当該発明の実施によって学ばれよう。
【課題を解決するための手段】
【００１５】
一態様は、無線通信システムにおける基地局によるサービングセルの活性化/非活性化をサポートする方法を、提供する。前記方法は、サポート可能なＭ個のサービングセルを端末内に構成し、前記Ｍ個のサービングセルの各々の活性化/非活性化を指示するための指示子を設定し、前記Ｍ個のサービングセルの各々に対する指示子を含むとともに８ビットの整数倍に対応した長さを有する媒体アクセス制御(ＭＡＣ)要素と、前記サービングセルの各々の活性化/非活性化を指示するための指示子を前記媒体アクセス制御(ＭＡＣ)要素が含んでいることを示す論理チャネル識別情報(ＬＣＩＤ)とを含むＭＡＣメッセージを構成し、前記構成されたＭＡＣメッセージを前記端末に送信することを、含む。
【００１６】
他の態様は、無線通信システムにおける端末によるサービングセルの活性化/非活性化をサポートする方法を提供する。前記方法は、基地局から媒体アクセス制御（ＭＡＣ）メッセージを受信し、受信した前記媒体アクセス制御（ＭＡＣ）メッセージに指示子が含まれることを論理チャネル識別情報(ＬＣＩＤ)から確認し、８ビットの整数倍に対応する長さを有する媒体アクセス制御(ＭＡＣ)要素を用いることにより、前記指示子が前記端末内に構成されたＭ個のサービングセルの各々の活性化/非活性化を指示していることを確認し、前記確認された指示子に基づいて活性化されたサービングセルを用いることにより、基地局からのダウンリンク制御チャネルまたはダウンリンクデータチャネルを受信するか前記基地局へアップリンクデータチャネルを送信することを、含む。
【００１７】
他の態様は、無線通信システムにおけるサービングセルの活性化/非活性化をサポートする基地局を提供する。前記基地局は、サポート可能なＭ個のサービングセルを端末内に設定する活性化集合設定部と、前記Ｍ個のサービングセルの各々の活性化/非活性化を指示する指示子を生成する活性化指示子生成部と、前記Ｍ個のサービングセルの各々に対する指示子を含むとともに８ビットの整数倍に対応した長さを有する媒体アクセス制御(ＭＡＣ)要素と、前記前記サービングセルの各々の活性化/非活性化を指示するための指示子を媒体アクセス制御(ＭＡＣ)要素が含んでいることを示す論理チャネル識別情報(ＬＣＩＤ)とを含むＭＡＣメッセージを構成し、前記構成されたＭＡＣメッセージを前記端末に送信するメッセージ送信部とを、含む。
【００１８】
他の態様は、無線通信システムにおけるサービングセルの活性化/非活性化をサポートする端末を提供する。前記端末は、基地局から媒体アクセス制御（ＭＡＣ）メッセージを受信する受信処理部と、受信した前記媒体アクセス制御（ＭＡＣ）メッセージに指示子が含まれることを論理チャネル識別情報(ＬＣＩＤ)から確認し、８ビットの整数倍に対応する長さを有する媒体アクセス制御(ＭＡＣ)要素を用いることにより、前記指示子が前記端末内に構成されたＭ個のサービングセルの各々の活性化/非活性化を指示していることを確認する活性化集合確認部と、前記確認された指示子に基づいて活性化されたサービングセルを用いることにより、前記基地局からのダウンリンク制御チャネルまたはダウンリンクデータチャネルを受信するか、基地局へアップリンクデータチャネルを送信する情報解析部とを、含む。
【００１９】
他の態様は、多重コンポーネントキャリアをサポートする無線通信システムにおける基地局によるコンポーネントキャリアの活性化/非活性化をサポートする方法を提供する。前記方法は、サポート可能なＭ個のコンポーネントキャリアを端末内に構成し、前記Ｍ個のコンポーネントキャリアの各々の活性化/非活性化を指示するための指示子を設定し、前記Ｍ個のコンポーネントキャリアの各々に対する指示子を含むとともに８ビットの整数倍に対応した長さを有する媒体アクセス制御(ＭＡＣ)要素と、前記Ｍ個のコンポーネントキャリアの各々の活性化/非活性化を指示するための指示子を、前記媒体アクセス制御(ＭＡＣ)要素が含んでいることを示す論理チャネル識別情報(ＬＣＩＤ)とを含むＭＡＣメッセージを構成し、前記構成されたＭＡＣメッセージを前記端末に送信することを、含む。
【００２０】
他の態様は、多重コンポーネントキャリアをサポートする無線通信システムにおける端末によるコンポーネントキャリアの活性化/非活性化をサポートする方法を提供する。前記方法は、基地局から媒体アクセス制御（ＭＡＣ）メッセージを受信し、受信した前記媒体アクセス制御（ＭＡＣ）メッセージに指示子が含まれることを論理チャネル識別情報(ＬＣＩＤ)から確認し、８ビットの整数倍に対応する長さを有する媒体アクセス制御(ＭＡＣ)要素を用いることにより、前記指示子が前記端末内に構成されたＭ個のコンポーネントキャリアの各々の活性化/非活性化を指示していることを確認し、前記確認された指示子に基づいて活性化されたコンポーネントキャリアを用いることにより、前記基地局からのダウンリンク制御チャネルまたはダウンリンクデータチャネルを受信するか前記基地局へアップリンクデータチャネルを送信することを、含む。
【００２１】
他の態様は、多重コンポーネントキャリアをサポートする無線通信システムにおけるコンポーネントキャリアの活性化/非活性化をサポートする基地局を提供する。前記基地局は、サポート可能なＭ個のコンポーネントキャリアを端末内に設定する活性化集合設定部と、前記Ｍ個のコンポーネントキャリアの各々の活性化/非活性化を指示する指示子を設定する活性化指示子生成部と、前記Ｍ個のコンポーネントキャリアの各々に対する指示子を含むとともに８ビットの整数倍に対応した長さを有する媒体アクセス制御(ＭＡＣ)要素と、前記Ｍ個のコンポーネントキャリアの各々の活性化/非活性化を指示するための指示子を前記媒体アクセス制御（ＭＡＣ）要素が含んでいることを示す論理チャネル識別情報(ＬＣＩＤ)とを含むＭＡＣメッセージを構成し、前記構成されたＭＡＣメッセージを前記端末に送信するメッセージ送信部とを、含む。
【００２２】
他の態様は、多重コンポーネントキャリアをサポートする無線通信システムにおけるコンポーネントキャリアの活性化/非活性化をサポートする端末を提供する。前記端末は、基地局から媒体アクセス制御（ＭＡＣ）メッセージを受信する受信処理部と、受信した前記媒体アクセス制御（ＭＡＣ）メッセージに指示子が含まれることを論理チャネル識別情報(ＬＣＩＤ)から確認し、８ビットの整数倍に対応する長さを有する媒体アクセス制御(ＭＡＣ)要素を用いることにより、前記指示子が前記端末内に構成されたＭ個のコンポーネントキャリアの各々おの活性化/非活性化を指示していることを確認する活性化集合確認部と、前記確認された指示子に基づいて活性化されたコンポーネントキャリアを用いることにより、基地局からのダウンリンク制御チャネルまたはダウンリンクデータチャネルを受信するか、基地局へアップリンクデータチャネルを送信する情報解析部とを、含む。
【００２３】
他の態様は、独立的な運用が可能な周波数帯域であるコンポーネントキャリアを複数個使用する無線通信システムにおける基地局によるコンポーネントキャリアの活性化/非活性化をサポートする方法を提供する。前記方法は、前記コンポーネントキャリアの各々に対し、制御チャネル及びデータチャネル、または、制御チャネルとデータチャネルのうち少なくとも一つを受信するためのモニタリングを指示する活性化、或いは、前記制御チャネル及びデータチャネルを受信するためのモニタリングを中止するように指示する非活性化を決定し、前記決定された活性化または非活性化を、前記活性化が１に設定され、前記非活性化が０に設定される１ビットの指示子に設定し、、前記コンポーネントキャリアの各々のための指示子を定められた長さを有するビット列内に含む媒体アクセス制御(ＭＡＣ)シグナリングを、端末へ送信することを、含む。
【００２４】
他の態様は、独立的な運用が可能な周波数帯域であるコンポーネントキャリアを複数個使用する無線通信システムにおける端末によるコンポーネントキャリアの活性化/非活性化をサポートする方法を提供する。前記方法は、前記コンポーネントキャリアの各々に対して設定された指示子を定められた長さのビット列内に含む媒体アクセス制御(ＭＡＣ)シグナリングを受信し、前記定められた長さのビット列内の前記コンポーネントキャリアの各々に対して設定された指示子を確認し、前記確認された指示子が１の場合に該当コンポーネントキャリアを活性化させ、または前記確認された指示子が０の場合に該当コンポーネントキャリアを非活性化させ、前記活性化されたコンポーネントキャリアをモニタリングして制御チャネル及びデータチャネル、または、制御チャネルとデータチャネルのうち少なくとも一つを受信したり、或いは、前記非活性化されたコンポーネントキャリアのモニタリングを中止して前記制御チャネルとデータチャネルを受信しないことを、含む。
【００２５】
他の態様は、独立的な運用が可能な周波数帯域であるコンポーネントキャリアを複数個使用する無線通信システムにおけるコンポーネントキャリアの活性化/非活性化をサポートする基地局装置を提供する。前記基地局装置は、前記コンポーネントキャリアの各々に対し、制御チャネル及びデータチャネル、または、制御チャネルとデータチャネルのうち少なくとも一つを受信するためのモニタリングを指示する活性化、或いは、前記制御チャネル及びデータチャネルを受信するためのモニタリングを中止するように指示する非活性化を決定し、前記決定された活性化または非活性化を、前記活性化が１に設定され、前記非活性化が０に設定される１ビットの指示子に設定する制御部と、前記コンポーネントキャリアの各々のための指示子を定められた長さを有するビット列内に含む媒体アクセス制御(ＭＡＣ)シグナリングを、端末へ送信する送受信部とを、含む。
【００２６】
他の態様は、独立的な運用が可能な周波数帯域であるコンポーネントキャリアを複数個使用する無線通信システムにおけるコンポーネントキャリアの活性化/非活性化をサポートする端末装置を提供する。前記端末装置は、前記コンポーネントキャリアの各々に対して設定された指示子を定められた長さのビット列内に含む媒体アクセス制御(ＭＡＣ)シグナリングを受信する受信処理部と、前記定められた長さのビット列内の前記コンポーネントキャリアの各々に対して設定された指示子を確認し、前記確認された指示子が１の場合に該当コンポーネントキャリアを活性化させ、または前記確認された指示子が０の場合に該当コンポーネントキャリアを非活性化させる活性化集合確認部と、前記活性化されたコンポーネントキャリアをモニタリングして制御チャネル及びデータチャネル、または、制御チャネルとデータチャネルのうち少なくとも一つを受信したり、或いは、前記非活性化されたコンポーネントキャリアのモニタリングを中止して前記制御チャネルとデータチャネルを受信しない情報解析部とを、含む。
【発明の効果】
【００２７】
本発明によると、コンポーネントキャリアの活性化可否によってコンポーネントキャリアに対する制御チャネルまたはデータチャネルを選択的に受信し、非活性化されたコンポーネントキャリアを受信しないことによって、端末のデコーディング負担を減らし、電力を節減することができる。
【００２８】
また、端末と基地局との間にコンポーネントキャリアの活性化/非活性化に対する送信規約を明確にし、これに所要される制御情報の量を調節することによって、無線リソースを効率的に用いることができる。
【図面の簡単な説明】
【００２９】
【図１】本発明が適用される無線通信システムを示す。
【図２】本発明が適用される無線通信システムにおけるキャリア集合体の構造を示す。
【図３】本発明の一実施例に係るダウンリンク制御情報活性化集合を示す。
【図４】図３に示す制御情報活性化指示子を用いてデータを受信する場合を示す。
【図５】本発明の他の実施例に係るダウンリンク制御情報活性化集合とデータ情報活性化集合を示す。
【図６】本発明の実施例によって制御情報活性化集合を設定するフローチャートである。
【図７】本発明の一実施例によってステップ別活性化集合の構成を示す。
【図８】本発明の一実施例によってデータ情報活性化集合を設定するフローチャートである。
【図９】本発明の一例によって活性化集合の活性化/非活性化情報を送信する構造を示す。
【図１０】本発明の一実施例によって基地局の活性化指示子を送信するフローチャートである。
【図１１】本発明によって活性化指示子の送信装置を示す。
【図１２】本発明によって活性化指示子の送信に使われるダウンリンク物理チャネルの信号生成構造を示す。
【図１３】本発明によって活性化指示子を受信するフローチャートを示す。
【図１４】本発明によって活性化指示子の受信装置を示す。
【図１５】主サービングセル(Ｐｒｉｍａｒｙ Ｓｅｒｖｉｎｇ Ｃｅｌｌ；ＰＳＣ)と副サービングセル(Ｓｅｃｏｎｄａｒｙ Ｓｅｒｖｉｎｇ Ｃｅｌｌ；ＳＳＣ)の概念を説明する説明図である。
【図１６】本発明の一例に係る活性化指示子を含むＭＡＣ ＰＤＵ(Ｐｒｏｔｏｃｏｌ Ｄａｔａ Ｕｎｉｔ)を示す。
【図１７】本発明の一例に係る活性化指示子を構成するＭＡＣ制御要素を示す。
【図１８】本発明の他の例に係る活性化指示子を構成するＭＡＣ制御要素を示す。
【図１９】本発明の他の例に係る活性化指示子を構成するＭＡＣ制御要素を示す。
【図２０】本発明の他の例に係る活性化指示子を構成するＭＡＣ制御要素を示す。
【図２１】本発明の他の例に係る活性化指示子を構成するＭＡＣ制御要素を示す。
【図２２】本発明の他の例に係る活性化指示子を構成するＭＡＣ制御要素を示す。
【図２３】本発明の他の例に係る活性化指示子を構成するＭＡＣ制御要素を示す。
【図２４】本発明の他の例に係る活性化指示子を構成するＭＡＣ制御要素を示す。
【図２５】本発明の他の例に係る活性化指示子を構成するＭＡＣ制御要素を示す。
【図２６】本発明の他の例に係る活性化指示子を構成するＭＡＣ制御要素を示す。
【図２７】本発明の他の例に係る活性化指示子を構成するＭＡＣ制御要素を示す。
【図２８】本発明の他の例に係る活性化指示子を構成するＭＡＣ制御要素を示す。
【図２９】本発明の他の例に係る活性化指示子を構成するＭＡＣ制御要素を示す。
【図３０】本発明の他の例に係る活性化指示子を構成するＭＡＣ制御要素を示す。
【図３１】本発明の他の例に係る活性化指示子を構成するＭＡＣ制御要素を示す。
【図３２】本発明の他の例に係る活性化指示子を構成するＭＡＣ制御要素を示す。
【図３３】本発明の他の例に係る活性化指示子を構成するＭＡＣ制御要素を示す。
【図３４】本発明の他の例に係る活性化指示子を構成するＭＡＣ制御要素を示す。
【図３５】本発明の一例に係る活性化指示子の送信方法を示すフローチャートである。
【発明を実施するための形態】
【００３０】
以下、本発明の一部実施例は例示的な図面を介して詳細に説明する。各図面の構成要素に参照符号を付ける時、同じ構成要素に対しては、たとえ、他の図面上に表示されるとしても、可能の限り同じ符号を有するようにしていることを留意しなければならない。また、本発明を説明する時、関連した公知構成または機能に対する具体的な説明が本発明の要旨を不明にすると判断される場合には、その詳細な説明は省略する。
【００３１】
図１は、本発明が適用される無線通信システムを示すブロック図である。
【００３２】
無線通信システムは、音声、パケットデータなどのような多様な通信サービスを提供するために広く配置される。
【００３３】
図１を参照すると、無線通信システムは、端末(Ｕｓｅｒ Ｅｑｕｉｐｍｅｎｔ；ＵＥ)１０及び基地局(Ｂａｓｅ Ｓｔａｔｉｏｎ；ＢＳ)２０を含む。端末１０及び基地局２０は、以下で説明した多様な電力割当方法を使用する。
【００３４】
本発明での端末１０は、無線通信でのユーザ端末を意味する包括的概念であり、ＷＣＤＭＡ及びＬＴＥ、ＨＳＰＡなどでのＵＥ(Ｕｓｅｒ Ｅｑｕｉｐｍｅｎｔ)はもちろん、ＧＳＭ(登録商標)でのＭＳ(Ｍｏｂｉｌｅ Ｓｔａｔｉｏｎ)、ＵＴ(Ｕｓｅｒ Ｔｅｒｍｉｎａｌ)、ＳＳ(Ｓｕｂｓｃｒｉｂｅｒ Ｓｔａｔｉｏｎ)、無線機器(ｗｉｒｅｌｅｓｓ ｄｅｖｉｃｅ)などを全部含む概念であると、解釈されるべきである。
【００３５】
基地局２０またはセル(ｃｅｌｌ)は、一般的に、端末１０と通信する固定局(ｆｉｘｅｄ ｓｔａｔｉｏｎ)を意味し、ノード−Ｂ(Ｎｏｄｅ−Ｂ)、ｅＮＢ(ｅｖｏｌｖｅｄ Ｎｏｄｅ−Ｂ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、リレイ(ｒｅｌａｙ)等、他の用語で呼ばれることもある。
【００３６】
即ち、本発明で基地局２０またはセル(ｃｅｌｌ)は、ＣＤＭＡでのＢＳ(Ｂａｓｅ Ｓｔａｔｉｏｎ)、ＷＣＤＭＡのＮｏｄｅＢなどがカバーする一部周波数領域を示す包括的な意味で解釈されなければならず、メガセル、マクロセル、マイクロセル、ピコセル、フェムトセル等、多様なカバレッジ領域を全部包括する意味である。
【００３７】
本発明で、端末１０と基地局２０は、本発明で記述される技術または技術的思想を具現する時に使われる二つの送受信主体であり、包括的な意味で使われ、特定に呼ばれる用語または単語により限定されない。
【００３８】
無線通信システムに適用される多重接続技法には制限がない。ＣＤＭＡ(Ｃｏｄｅ Ｄｉｖｉｓｉｏｎ Ｍｕｌｔｉｐｌｅ Ａｃｃｅｓｓ)、ＴＤＭＡ(Ｔｉｍｅ Ｄｉｖｉｓｉｏｎ Ｍｕｌｔｉｐｌｅ Ａｃｃｅｓｓ)、ＦＤＭＡ(Ｆｒｅｑｕｅｎｃｙ Ｄｉｖｉｓｉｏｎ Ｍｕｌｔｉｐｌｅ Ａｃｃｅｓｓ)、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)、ＯＦＤＭ−ＦＤＭＡ、ＯＦＤＭ−ＴＤＭＡ、ＯＦＤＭ−ＣＤＭＡのような、多様な多重接続技法を使用することができる。
【００３９】
以下、ダウンリンク(ｄｏｗｎｌｉｎｋ)は、基地局２０から端末１０への通信を意味し、アップリンク(ｕｐｌｉｎｋ)は、端末１０から基地局２０への通信を意味する。この場合、ダウンリンクにおいて、送信機は基地局２０の一部分であり、受信機は端末１０の一部分である。また、アップリンクにおいて、送信機は端末１０の一部分であり、受信機は基地局２０の一部分である。場合によって、ダウンリンクは、端末１０から基地局２０への通信を意味し、アップリンクは、基地局２０から端末１０への通信を意味する。この場合、ダウンリンクにおいて、送信機は端末１０の一部分であり、受信機は基地局２０の一部分である。また、アップリンクにおいて、送信機は基地局２０の一部分であり、受信機は端末１０の一部分である。ダウンリンクは、順方向リンク(ｆｏｒｗａｒｄ ｌｉｎｋ)と呼ばれることもあり、アップリンクは、逆方向リンク(ｒｅｖｅｒｓｅ ｌｉｎｋ)と呼ばれることもある。
【００４０】
アップリンク送信及びダウンリンク送信は、互いに異なる時間を使用して送信を行うＴＤＤ(Ｔｉｍｅ Ｄｉｖｉｓｉｏｎ Ｄｕｐｌｅｘ)方式が使われても良く、互いに異なる周波数を使用して送信を行うＦＤＤ(Ｆｒｅｑｕｅｎｃｙ Ｄｉｖｉｓｉｏｎ Ｄｕｐｌｅｘ)方式が使われても良い。
【００４１】
本発明の一実施例は、ＧＳＭ(登録商標)、ＷＣＤＭＡ、ＨＳＰＡを経てＬＴＥ(Ｌｏｎｇ Ｔｅｒｍ Ｅｖｏｌｕｔｉｏｎ)及びＬＴＥ−ａｄｖａｎｃｅｄに進化する非同期無線通信や、ＣＤＭＡ、ＣＤＭＡ−２０００、及びＵＭＢに進化する同期式無線通信分野などのリソース割当に、適用されることができる。しかしながら、本発明の適用は、特定の無線通信分野に限定されてはならず、本発明の思想が適用されることができる全ての技術分野を含むと解釈されるべきである。
【００４２】
本発明では、次世代無線通信システムにおける高いデータ送信率要求量をサポートするための方案として、端末１０または基地局２０またはセルが複数個のコンポーネントキャリアを用いてアップリンクとダウンリンクで送信/受信広帯域帯域幅を確保する方案を、提案する。
【００４３】
この時、複数のコンポーネントキャリアは、一つのシステム帯域またはシステムキャリアに設定されることができる。一つのコンポーネントキャリアは、キャリア集合体を使用する以前の一つの無線通信帯域を意味する。
【００４４】
図２は、本発明が適用される無線通信システムにおける最大２０ＭＨｚ帯域を有する５個のコンポーネントキャリアを同時に使用する場合を示す。図２は、キャリア集合体環境で周波数拡大概念図である。
【００４５】
図２を参照すると、端末１０は、全てのＣＣ(ＣＣ１〜ＣＣ５)を介してキャンプオン(ｃａｍｐ−ｏｎ)することができる。端末１０がキャンプオンすると、端末１０は、基地局２０と同期を形成し、基地局との通信のための基本制御情報であるＰＢＣＨ(Ｐｈｙｓｉｃａｌ Ｂｒｏａｄｃａｓｔ ｃｈａｎｎｅｌ)のようなＭＩＢ(Ｍａｓｔｅｒ Ｉｎｆｏｒｍａｔｉｏｎ Ｂｌｏｃｋ)、ＰＤＳＣＨ(Ｐｈｙｓｉｃａｌ Ｄｏｗｎｌｉｎｋ Ｓｈａｒｅｄ Ｃｈａｎｎｅｌ)のようなＳＩＢ(Ｓｙｓｔｅｍ Ｉｎｆｏｒｍａｔｉｏｎ Ｂｌｏｃｋ)を受信し、特定周波数帯域で通信が可能となる。特に、ＳＩＢ２には、アップリンクセル帯域(ＵＬ ｃｅｌｌ ｂａｎｄｗｉｄｔｈ)、ランダムアクセスパラメータ(ｒａｎｄｏｍ ａｃｃｅｓｓ ｐａｒａｍｅｔｅｒ)、アップリンク電力制御パラメータ(ＵＬ ｐｏｗｅｒ ｃｏｎｔｒｏｌ ｐａｒａｍｅｔｅｒ)が、存在する。従って、端末１０が基地局２０にキャンプオンをすると、ＲＡＣＨ(Ｒａｎｄｏｍ Ａｃｃｅｓｓ Ｃｈａｎｎｅｌ)を使用するためのパラメータを、受信するようになる。
【００４６】
また、端末１０は、基本的に、全てのＣＣ(ＣＣ１〜ＣＣ５)にランダムアクセスを実行することができ、特に、端末１０は、アンカーキャリア(ａｎｃｈｏｒ ｃａｒｒｉｅｒ)になる可能性が大きいＬＴＥ用ＣＣに最初にランダムアクセスを実行することができる。アンカーキャリアは、主コンポーネントキャリア(ｐｒｉｍａｒｙ ｃｏｍｐｏｎｅｎｔ ｃａｒｒｉｅｒ；ＰＣＣ)と呼ばれることもある。主コンポーネントキャリアを除いた残りの搬送波は、副コンポーネントキャリア(ｓｅｃｏｎｄａｒｙ ｃｏｍｐｏｎｅｎｔ ｃａｒｒｉｅｒ；ＳＣＣ)と呼ばれることもある。主コンポーネントキャリアと副コンポーネントキャリアとは、端末別に、相対的に決定される。例えば、第１の端末に対しては、ＣＣ１が主コンポーネントキャリアであり、残りが副コンポーネントキャリアであり、第２の端末に対しては、ＣＣ３が主コンポーネントキャリアであり、残りが副コンポーネントキャリアである。
【００４７】
一方、アンカーキャリアは、次のような機能の全体または一部を備えているコンポーネントキャリアのうちの一つとして、定義されることができる。
【００４８】
− セルと端末との間初期同期及び同期化維持
【００４９】
− ランダムアクセス
【００５０】
− 全体または一部コンポーネントキャリアに対するシステム情報受信
【００５１】
− 無線リンク失敗(ＲＬＦ：Ｒａｄｉｏ Ｌｉｎｋ Ｆａｉｌｕｒｅ)決定基準
【００５２】
− セルと端末との間のセキュリティ関連設定及び運用
【００５３】
− ＮＡＳ(Ｎｏｎ− Ａｃｃｅｓｓｓｔｒａｔｕｍ)モビリティ(ｍｏｂｉｌｉｔｙ)設定及び運用
【００５４】
− 全体または一部のコンポーネントキャリアに対するＤＲＸ(Ｄｉｓｃｏｎｔｉｎｕｏｕｓ Ｒｅｃｅｐｔｉｏｎ)動作の基準及び制御
【００５５】
また、アンカーキャリアは、セル単位に設定されても良いし、ユーザ単位に設定されても良いし、ユーザグループ単位に設定されても良い。アンカーキャリアは、サービングセル(ｓｅｒｖｉｎｇ ｃｅｌｌ)、主サービングセル(ｐｒｉｍａｒｙ ｓｅｒｖｉｎｇ ｃｅｌｌ)、特殊セル(ｓｐｅｃｉａｌ ｃｅｌｌ)などのような用語で、呼ばれることもある。アンカーコンポーネントキャリアであるＣＣ１は、自身を中心にどのキャリアが該当端末との通信と関連され、どのキャリアが活性化されるか、或いは非活性化されるかを、知らせる基準になることができる。
【００５６】
本発明の実施例は、端末の装置構成条件とＩＰベースの音声通話(ＶｏＩＰ)、動画ストリーミングサービス、ファイル送信、ウェブサーフィンなどのような応用プログラムの要求サービス品質、電力消耗量、ユーザ位置情報、陰影地域、周波数選択的チャネルなどを考慮し、端末の無線送受信動作に必要な活性化集合を構成して割り当てる方法及び装置を提供する。
【００５７】
基地局２０は、端末１０が受信可能な全てのコンポーネントキャリアのうち少なくとも一つのコンポーネントキャリアを含む活性化集合を設定し、前記活性化集合に対する情報を端末１０に送信することができる。これは以下に説明する種類及び基準によって、処理される。
【００５８】
この特定活性化集合は、該当端末に対する制御情報を含むコンポーネントキャリアを基準に一つの集合を構成する制御情報活性化(部分)集合と、該当端末に対するデータ情報を含むコンポーネントキャリアを基準に一つの集合を構成するデータ情報活性化(部分)集合と、に分けられる。端末は、制御情報活性化集合のコンポーネントキャリア、またはデータ情報活性化集合のコンポーネントキャリアを、受信しなければならない。端末がコンポーネントキャリアを受信するためには、当該コンポーネントキャリアが活性化されなければならない。コンポーネントキャリアが制御情報活性化集合又はデータ情報活性化集合に属している場合には、前記ＣＣは活性化されている。反対に、コンポーネントキャリアが制御情報活性化集合にも属せず、データ情報活性化集合にも属しない場合、前記コンポーネントキャリアは非活性化されている。
【００５９】
基地局は、コンポーネントキャリアを制御情報活性化集合やデータ情報活性化集合に含ませたり、或いは除外させることによって、前記コンポーネントキャリアの活性化/非活性化を指示することができる。特定コンポーネントキャリアが制御情報活性化集合またはデータ情報活性化集合に属するか否かを示す情報を、活性化指示子(ａｃｔｉｖａｔｉｏｎ ｉｎｄｉｃａｔｏｒ)という。
【００６０】
図３は、本発明の一実施例に係るダウンリンク制御情報活性化集合を示す。
【００６１】
図３を参照すると、全てのコンポーネントキャリア(ＣＣ１〜ＣＣ５)の各々では、無線フレーム(ｒａｄｉｏ ｆｒａｍｅ)単位に信号が送信される。この時、無線フレーム(ｒａｄｉｏ ｆｒａｍｅ)は１０個のサブフレーム(ｓｕｂｆｒａｍｅ)で構成されても良く、一つのサブフレームは２個の連続的な(ｃｏｎｓｅｃｕｔｉｖｅ)スロット(ｓｌｏｔ１、ｓｌｏｔ２)で構成されても良い。
【００６２】
ダウンリンク(Ｄｏｗｎｌｉｎｋ)の場合、サブフレーム内の１番目のスロット(ｓｌｏｔ１)中の最初の３個の（又はそれより少ない数の）ＯＦＤＭシンボルは、物理ダウンリンク制御チャネル(Ｐｈｙｓｉｃａｌ ｄｏｗｎｌｉｎｋ ｃｏｎｔｒｏｌ ｃｈａｎｎｅｌ；以下、「ＰＤＣＣＨ」という)が割り当てられる制御領域(ｃｏｎｔｒｏｌ ｒｅｇｉｏｎ)であり、残りのＯＦＤＭシンボルは、物理ダウンリンク共有チャネル(Ｐｈｙｓｉｃａｌ Ｄｏｗｎｌｉｎｋ Ｓｈａｒｅｄ Ｃｈａｎｎｅｌ；以下、「ＰＤＳＣＨ」という)が割り当てられるデータ領域(ｄａｔａ ｒｅｇｉｏｎ)である。制御領域としては、ＰＤＣＣＨ外にも、物理制御フォーマット指示子チャネル(Ｐｈｙｓｉｃａｌ Ｃｏｎｔｒｏｌ Ｆｏｒｍａｔ Ｉｎｄｉｃａｔｏｒ Ｃｈａｎｎｅｌ；以下、「ＰＣＦＩＣＨ」という)、物理複合自動再送信指示子チャネル(Ｐｈｙｓｉｃａｌ ＨＡＲＱ Ｉｎｄｉｃａｔｏｒ Ｃｈａｎｎｅｌ；以下、「ＰＨＩＣＨ」という)などの制御チャネルが割り当てられても良い。
【００６３】
端末１０は、ＰＤＣＣＨを介して送信される制御情報をデコーディングした後、前記デコーディングされた制御情報に基づいてＰＤＳＣＨを介して送信されるデータ情報を読み取ることができる。ここで、本発明の実施形態の例によると、制御領域は３個のＯＦＤＭシンボルを含む。一方、サブフレーム内の制御領域が含むＯＦＤＭシンボルの数は、ＰＣＦＩＣＨを介して知ることができる。
【００６４】
端末１０は、ダウンリンク制御情報(Ｄｏｗｎｌｉｎｋ Ｃｏｎｔｒｏｌ Ｉｎｆｏｒｍａｔｉｏｎ；以下、「ＤＣＩ」という)が存在するダウンリンクの各コンポーネントキャリアのＰＤＣＣＨを介して送信される制御情報をデコーディングし、前記デコーディングされた制御情報に基づいて、ダウンリンクの各コンポーネントキャリアのＰＤＳＣＨを介して送信されるデータ情報を読み取ることができる。
【００６５】
複数の端末１０に対して多重化された複数のＰＤＣＣＨが、制御領域内で送信されることができる。ＰＤＣＣＨは、スケジューリング決定及び電力制御命令のようなＤＣＩを運搬する時に使われる。具体的に、ＤＣＩは、ダウンリンクスケジューリング割当(Ｄｏｗｎｌｉｎｋ ｓｃｈｅｄｕｌｉｎｇ ａｓｓｉｇｎｍｅｎｔｓ)とアップリンクスケジューリンググラント(Ｕｐｌｉｎｋ ｓｃｈｅｄｕｌｉｎｇ ｇｒａｎｔｓ)、電力制御命令(Ｐｏｗｅｒ ｃｏｎｔｒｏｌ ｃｏｍｍａｎｄｓ)などの制御情報を含むことができる。前述した制御情報の他のタイプは、他のＤＣＩメッセージの大きさに対応する。従って、ＤＣＩは、異なるＤＣＩフォーマットにより区分され得る。この時、ＤＣＩフォーマットは、メッセージの大きさと用途に対応する。
【００６６】
一つのＰＤＣＣＨは、前述したＤＣＩフォーマットのうち一つを介して一つのメッセージを運搬する。複数の端末１０がアップリンクとダウンリンクの上で同時にスケジューリングされ得るため、各々のサブフレーム内に複数のスケジューリングメッセージを送信することができる。各々のスケジューリングメッセージは、別途のＰＤＣＣＨ上に送信されるため、各基地局２０内で同時に複数のＰＤＣＣＨが送信され得る。
【００６７】
また、図３を参照すると、各コンポーネントキャリアのＰＤＣＣＨのＤＣＩフォーマットは、ＤＣＩフォーマットが存在するコンポーネントキャリア、例えば、図３のＣＣ２と同じＣＣのためのダウンリンク割当(Ｄｏｗｎｌｉｎｋ ａｓｓｉｇｎｍｅｎｔｓ)及びアップリンクグラント(Ｕｐｌｉｎｋ ｇｒａｎｔｓ)などの制御情報を送信することができる。また、各コンポーネントキャリアのＰＤＣＣＨのＤＣＩフォーマットは、特定コンポーネントキャリアのＰＤＣＣＨのＤＣＩフォーマットが存在するコンポーネントキャリア(ＣＣ２)と同じコンポーネントキャリア(ＣＣ２)だけでなく、少なくとも他の一つのコンポーネントキャリア(ＣＣ１、ＣＣ３)のためのダウンリンク割当(Ｄｏｗｎｌｉｎｋ ａｓｓｉｇｎｍｅｎｔｓ)及びアップリンクグラント(Ｕｐｌｉｎｋ ｇｒａｎｔｓ)などの制御情報を送信することもできる。
【００６８】
各コンポーネントキャリアのＰＤＣＣＨのＤＣＩフォーマットは、特定コンポーネントキャリア(ＣＣ)のＰＤＣＣＨのＤＣＩフォーマットが存在するコンポーネントキャリア(ＣＣ３)と少なくとも他の一つのコンポーネントキャリア(ＣＣ５)のみのためのダウンリンク割当(Ｄｏｗｎｌｉｎｋ ａｓｓｉｇｎｍｅｎｔｓ)及びアップリンクグラント(Ｕｐｌｉｎｋ ｇｒａｎｔｓ)などの制御情報を送信することもできる。この時、ＤＣＩフォーマットは、複数のコンポーネントキャリア(ＣＣ)の各々について、ＰＤＣＣＨを通じて各ＣＣの制御情報を送信するためのＤＣＩフォーマットが存在する。
【００６９】
無線通信システムにおいて、基地局２０は、受信可能な全てのコンポーネントキャリア(ＣＣ１〜ＣＣ５)のうち、該当端末１０に対するＤＣＩフォーマットを有するＣＣと同じＣＣ、或いは、少なくとも他の一つのＣＣの制御情報(ＰＤＣＣＨ)を含むコンポーネントキャリア(ＣＣ２、ＣＣ３)を制御情報活性化集合(ＰＤＣＣＨ ａｃｔｉｖｅ ｓｅｔ)として決定し、制御情報活性化集合に対する情報を該当端末１０に知らせる。前記制御情報活性化集合は、制御情報モニタリング集合(ＰＤＣＣＨ ｍｏｎｉｔｏｒｉｎｇ ｓｅｔ)と呼ばれることもある。
【００７０】
従って、該当端末１０は、該当制御情報活性化集合内のコンポーネントキャリア上で制御情報(ＰＤＣＣＨ)を受信した後、制御情報(ＰＤＣＣＨ)内の情報を解析して自身に送信されたＰＤＳＣＨの位置を確認し、制御情報(ＰＤＣＣＨ)が示す位置のデータ情報(ＰＤＳＣＨ)を確認することができる。
【００７１】
図４は、図３に示す制御情報活性化指示子を用いてデータを受信する時、受信することができない区域(ｍｉｓｓｉｎｇ ｒｅｇｉｏｎ)が発生することを示す。
【００７２】
一つの制御情報(ＰＤＣＣＨ)が示す位置は、端末１０が受信可能な全てのコンポーネントキャリア(ＣＣ１乃至ＣＣ５)のうち一つのコンポーネントキャリアとなり得るため、端末１０は、全てのコンポーネントキャリア(ＣＣ１乃至ＣＣ５)に対して、受信手順を進行すべきである。この場合、全てのコンポーネントキャリアに対する受信手順を進行しなければならないため、不要なバッテリ電力消耗が端末１０に生じるかも知れない。
【００７３】
例えば、前記コンポーネントキャリアが各々７００ＭＨｚ、１.９ＧＨｚ、２.１ＧＨｚ、３ＧＨｚ、５ＧＨｚ帯域を使用する場合、端末１０は、全ての周波数帯域に対する受信手順を進行しなければならない。
【００７４】
一方、不要な電力消耗を考慮し、図３に示すように基地局２０が制御情報活性化集合を設定して端末１０に送信する場合、該当端末１０は、当該制御情報活性化集合のコンポーネントキャリアに対する制御情報(ＰＤＣＣＨ)を受信した後、制御情報(ＰＤＣＣＨ)内の情報を解析して自身に送信されたデータ情報(ＰＤＳＣＨ)の位置を確認し、制御情報(ＰＤＣＣＨ)が示す位置のデータ情報(ＰＤＳＣＨ)を確認することができる。
【００７５】
端末１０は、該当制御情報活性化集合に属するコンポーネントキャリア(ＣＣ２、ＣＣ３)の制御領域のうち共通検索空間(ｃｏｍｍｏｎ ｓｅａｒｃｈ ｓｐａｃｅ)と端末−専用検索空間(ＵＥ−ｓｐｅｃｉｆｉｃ ｓｅａｒｃｈ ｓｐａｃｅ)の両方ともをブラインドデコーディング(ｂｌｉｎｄ ｄｅｃｏｄｉｎｇ)することによって、自身に送信されたデータ情報の位置を確認することができる。端末１０は、基地局２０から受信した制御情報活性化指示子を用いることにより、ブラインドデコーディングするコンポーネントキャリアの範囲を減らすことができる。もちろん、端末１０が制御情報を受信するために実行するブラインドデコーディングの試行数は、制御情報活性化集合に属するコンポーネントキャリアの個数に、線形的に比例する。
【００７６】
一方、端末１０は、以前の制御情報の割当位置または以前のデータの割当位置などに基づいて、予め定義されたリソース及び送信方式(ｐｒｅｄｅｆｉｎｅｄ ｍａｐｐｉｎｇ ｆｒｏｍ ｐｒｅｖｉｏｕｓ ｓｉｇｎａｌｉｎｇ)に従って、制御情報を受信することもできる。
【００７７】
従って、本発明の実施形態は、無線通信システムでダウンリンク制御情報活性化集合とデータ情報活性化集合を設定し、端末にこれらに対する情報を送信する方法を含む。
【００７８】
図５は、本発明の他の実施例に係るダウンリンク制御情報活性化集合とデータ情報活性化集合を示す。
【００７９】
図５を参照すると、基地局２０は、受信可能な全てのコンポーネントキャリア(ＣＣ１〜ＣＣ５)のうち該当端末１０に対するＤＣＩフォーマットが存在するＣＣと同じＣＣ、或いは少なくとも他の一つのＣＣの制御情報(ＰＤＣＣＨ)を含むコンポーネントキャリア(ＣＣ２、ＣＣ４)を、制御情報活性化集合として設定することができる。
【００８０】
また、基地局２０は、制御情報活性化集合の制御情報(ＰＤＣＣＨ)が示すデータ情報(ＰＤＳＣＨ)を含むコンポーネントキャリアを、データ情報活性化集合(ＰＤＳＣＨ ａｃｔｉｖｅ ｓｅｔ)として設定することができる。例えば、図５に示すように、制御情報活性化集合に該当するコンポーネントキャリア(ＣＣ２、ＣＣ４)の制御情報が示すデータ情報(ＰＤＳＣＨ)を含むコンポーネントキャリア(ＣＣ１、ＣＣ２、ＣＣ４、ＣＣ５)を、データ情報活性化集合として設定することができる。データ情報活性化集合は、データ情報モニタリング集合(ＰＤＳＣＨ ｍｏｎｉｔｏｒｉｎｇ ｓｅｔ)と呼ばれることもある。
【００８１】
基地局２０は、端末１０に、制御情報活性化指示子とデータ情報活性化指示子を送信する。端末１０は、自身の制御情報活性化指示子とデータ情報活性化指示子を受信する。当該端末１０は、自身の制御情報活性化指示子を用いることにより、当該制御情報活性化集合に属するコンポーネントキャリア(ＣＣ２、ＣＣ４)に存在する制御情報(ＰＤＣＣＨ)を受信した後、制御情報(ＰＤＣＣＨ)内に含まれる情報を解析することによって自身に送信されたＰＤＳＣＨの位置を確認する必要なしに、データ情報活性化指示子を用いることにより、データ情報活性化集合に属するコンポーネントキャリア(ＣＣ１、ＣＣ２、ＣＣ４、ＣＣ５)のデータ情報(ＰＤＳＣＨ)を、確認することができる。
【００８２】
この場合、基地局２０が、制御情報活性化指示子とデータ情報活性化指示子を端末１０に送信し、端末１０は、この情報を用いることにより、制御情報活性化集合とデータ情報活性化集合に属するコンポーネントキャリアのみを受信する。端末１０は、制御情報活性化集合に属するコンポーネントキャリア中に存在する制御情報をブラインドデコーディングし、データ情報活性化集合に属するコンポーネントキャリア(ＣＣ１、ＣＣ２、ＣＣ４、ＣＣ５)のデータ情報(ＰＤＳＣＨ)を、確認することができる。
【００８３】
結果的に、端末１０は、制御情報活性化集合に属するコンポーネントキャリア、例えば、ＣＣ２、ＣＣ３のみを受信する。そのため、この制御情報活性化集合に属すコンポーネントキャリア、例えば、ＣＣ１及びＣＣ４、ＣＣ５内において、データ情報を受信することができない区域(ｍｉｓｓｉｎｇ ｒｅｇｉｏｎ)が発生しなくなる。
【００８４】
このようにデータ情報活性化集合が設定されて使用されるならば、少数のコンポーネントキャリアが受信されてモニタリングされ、よって、電力消耗量を減らすことができ、制御情報を用いることによりデータ情報を解析する時に発生する時間差に因って生じるエラーが、減らされ得る。
【００８５】
前述した特定活性化集合を構成する際に考慮しなければならないパラメータは、次のように、大きく二つに分けられる。
【００８６】
第１に、基地局２０から端末１０にデータを無線送信しようとする際の無線通信性能の決定における要素は、制御情報及びデータ情報の双方のための情報信頼度に影響を一般的に有する要素である。この要素は、送信電力、干渉電力、及び雑音電力に区分される電力特性と、アンテナパターン、個数、ＲＦ回路などで代表されるＲＦ装置特性と、ＯＦＤＭ、ＣＤＭＡ、チャネル符号化、ＭＩＭＯプロセシングなど、基底帯域送受信方式及びアルゴリズム、周辺環境及びユーザ位置などで表現されるチャネル環境を、含む。
【００８７】
第２に、情報特性に応じて異なる影響を与える要素がある。例えば、制御情報とデータ情報は、異なる目的のために端末１０によって受信されるので、異なる送信方式を用いて送信されてもよく、単位時間当たりの要求送信量などのサービス品質（ＱｏＳ）値が制御情報とデータ情報とで異なっても良い。即ち、ＱｏＳ値及びデータ情報の送信方法は、端末１０の応用プログラムの要求サービスに応じて変化し得るが、制御情報は、このような変化に大きく影響を受けない。
【００８８】
また、他の側面で、ユーザは同じサービスを受けることを所望しているがシステム内のリソース使用率、周辺環境変化などに因りシステム信頼性が低い場合、これを補償するための制御情報の送信及び割当は変化するかも知れないけれども、データ情報を送信する場合には影響を受けないこともある。
【００８９】
この時、データ情報活性化集合が制御情報活性化集合の部分集合であっても良く、或いは、制御情報活性化集合がデータ情報活性化集合の部分集合であっても良く、或いは、制御情報活性化集合とデータ情報活性化集合とが包含関係を有さなくても良い。
【００９０】
端末１０の電力消耗量を最小化するためには、制御情報活性化集合は、データ情報活性化集合の部分集合であっても良い。制御情報活性化集合を構成することなくデータ情報活性化集合が構成されさえすれば、制御情報割当時には、データ情報活性化集合に属するコンポーネントキャリアのみが考慮されれば良い。即ち、制御情報活性化集合が構成されない場合、制御情報は、構成されているデータ情報活性化集合内のコンポーネントキャリアを用いることにより、送信され得る。
【００９１】
また、制御情報活性化集合とデータ情報活性化集合との間の包含関係が成立しない場合は、二つの集合の和集合で端末１０の活性化された活性化集合を定義することができる。
【００９２】
図６は、本発明の一実施例によって制御情報活性化集合を設定するフローチャートである。図７は、本発明の一実施例によってステップ別活性化集合の構造を示す。
【００９３】
図６及び図７を参照すると、まず、全てのコンポーネントキャリアのうち、制御情報を送信することができるコンポーネントキャリアのみが選択されて、１次予備活性化集合として設定される(Ｓ６１０)。図７に示すように、全てのコンポーネントキャリア(ＣＣ１乃至ＣＣ５)のうち、制御情報を送信することができるコンポーネントキャリア(ＣＣ１、ＣＣ３、ＣＣ４)のみが選択されて、１次予備活性化集合として設定される(Ｓ６１０)。
【００９４】
次に、(１)ＲＦ装置の動作可能周波数範囲及び／又は(２)アンテナの個数の様な端末１０の端末１０の装置構成条件を考慮することにより、設定された１次予備活性化集合に属するコンポーネントキャリアのうち、当該端末１０が受信または送信することができるコンポーネントキャリアが、２次予備活性化集合として設定されるる(Ｓ６２０)。図７に示すように、例えば、端末１０の装置構成条件を考慮することにより、１次予備活性化集合(ＣＣ１、ＣＣ３、ＣＣ４)のうち、該当端末１０が送受信することができるコンポーネントキャリア(ＣＣ１、ＣＣ４)が、２次予備活性化集合として設定される。
【００９５】
次に、２次予備活性化集合のコンポーネントキャリアの特性中、(１)制御情報リソース使用率、(２)送信電力、(３)端末での受信電力、(４)干渉電力または雑音電力または二つの電力の和、(５)ＵＥでの受信電力対干渉電力または受信電力対干渉電力及び雑音電力の比率、及び／又は(６)送信可能制御情報のフォーマットのような要素を考慮することにより、一以上の優先割当活性化集合が最終的に設定され得る(Ｓ６３０)。設定された優先割当コンポーネントキャリアの集合を制御情報のための活性化集合という。図７に示すように、２次予備活性化集合(ＣＣ１、ＣＣ４)のコンポーネントキャリアの特性を考慮することにより、２次予備活性化集合(ＣＣ１、ＣＣ４)のうち、優先割当コンポーネントキャリア(ＣＣ１)が、優先割当活性化集合として設定される。
【００９６】
次に、制御情報が、設定した優先割当コンポーネントキャリア(ＣＣ１)に割り当てられる(Ｓ６４０)。
【００９７】
次に、優先割当コンポーネントキャリアに割り当てるべき制御情報が残っているか否かを、判断する(Ｓ６５０)。この時、優先割当コンポーネントキャリアに割り当てるべき制御情報が残っているならば、送信すべき制御情報を全部送信し終わるまで、以前に設定した優先割当コンポーネントキャリア(ＣＣ１)を除きいて優先割当コンポーネントキャリア(ＣＣ４)をＳ６３０ステップと同じ様に追加する処理(Ｓ６６０)と、追加された優先割当コンポーネントキャリアに制御情報を割り当てる処理(Ｓ６４０)とを、繰り返し実行する。
【００９８】
この時、優先割当コンポーネントキャリアに割当可能な最大情報量は、２次予備活性化集合が構成されるならば考慮される要素と優先割当コンポーネントキャリアが構成される時に使用される要素を考慮することにより、所定の費用関数(ｃｏｓｔ ｆｕｎｃｔｉｏｎ)により導出される。費用関数は、(１)コンポーネントキャリアの個数の最小化(電力消耗減少)、及び／又は(２)コンポーネントキャリアの個数の最大化(ダイバーシティ利得極大化、システム信頼性確保等)のようなオプションを、有していても良い。
【００９９】
次に、優先割当コンポーネントキャリアに割り当てるべき制御情報が残っていないと、制御情報が割り当てられた優先割当コンポーネントキャリア(ＣＣ１、ＣＣ４)が、制御情報活性化集合として設定される(Ｓ６７０)。
【０１００】
図８は、本発明の一実施例によってデータ情報活性化集合を設定するフローチャートである。図８を参照すると、全体コンポーネントキャリアのうちデータ情報を送信することができるコンポーネントキャリアのみが、１次予備活性化集合として設定される(Ｓ７１０)。
【０１０１】
次に、(１)ＲＦ装置の動作可能周波数範囲、(２)アンテナの個数、(３)装置内のメモリ容量、及び／又は(４)最大動作クロック数のような端末１０の装置構成条件を考慮することにより、１次予備活性化集合内に設定されているコンポーネントキャリアのうち、該当端末が受信または送信することができるコンポーネントキャリアが、２次予備活性化集合として設定される(Ｓ７２０)。
【０１０２】
次に、(１)データ情報リソース使用率、(２)送信電力、(３)端末での受信電力、(４)干渉電力または雑音電力または二つの電力の和、(５)端末での受信電力対干渉電力または受信電力対干渉電力及び雑音電力の比率、(６)帯域幅、及び／又は(７)制御情報送信有無のような要素を考慮することにより、２次予備活性化集合内に設定されているコンポーネントキャリアの特性中、一以上の優先割当コンポーネントキャリアが、設定され得る(Ｓ７３０)。
【０１０３】
次に、設定した優先割当コンポーネントキャリアに、データ情報が割り当てられる(Ｓ７４０)。
【０１０４】
次に、優先割当コンポーネントキャリアに割り当てるべきデータ情報が残っているか否かを、判断する(Ｓ７５０)。この時、優先割当コンポーネントキャリアに割り当てるべき制御情報が残っているならば、送信すべきデータ情報を全部送信し終わるまで、以前に設定した優先割当コンポーネントキャリアを除して優先割当コンポーネントキャリアをＳ７３０ステップと同じ様に追加する処理(Ｓ７６０)と、追加された優先割当コンポーネントキャリアに制御情報を割り当てる処理(Ｓ７４０)とを、繰り返し実行する。
【０１０５】
この時、優先割当コンポーネントキャリアに割当可能な最大情報量は、２次予備活性化集合が構成されるならば考慮される要素と優先割当コンポーネントキャリアが構成される時に使用される要素を考慮することにより、所定の費用関数により導出される。費用関数は、(１)コンポーネントキャリア個数の最小化(電力消耗減少)、(２)コンポーネントキャリア個数の最大化(ダイバーシティ利得極大化、システム信頼性確保等)のようなオプションを、有していても良い。
【０１０６】
次に、優先割当コンポーネントキャリアに割り当てるべきデータ情報が残っていないと、データ情報が割り当てられた優先割当コンポーネントキャリアが、データ情報活性化集合として設定される(Ｓ７７０)。
【０１０７】
一方、図６乃至図８に示す基地局２０または当該基地局２０のスケジューラは、一定時間が周期的に経過した場合、特定活性化集合の構成を開始するべき特定の外的条件が充たされたりイベントが発生した場合、特定活性化集合の構成を開始するべき特定の内的が充たされたりイベントが発生した場合に、特定活性化集合、例えば、制御情報活性化集合とデータ情報活性化集合を、構成することができる。
【０１０８】
この時、特定活性化集合の構成を開始するべき特定の外的条件が充たされたりイベントが発生した場合とは、該当端末の電力特性が基準閾値以下に落ちたり、或いはチャネル状態が基準閾値以下に悪くなったり、或いは端末１０の応用プログラムの要求サービスが変わった場合でも良い。
【０１０９】
一方、特定活性化集合の構成を開始するべき内部の特定条件が充たされたりイベントが発生した場合とは、システム内のリソース使用率、周辺環境変化などのためシステム信頼性が低くなる場合でも良い。
【０１１０】
図９は、本発明の一例によって、活性化集合のコンポーネントキャリア毎に、個別的に活性化指示子を送信する一例を示す。
【０１１１】
図９を参照すると、基地局２０は、活性化指示子(ａｃｔｉｖａｔｉｏｎ ｉｎｄｉｃａｔｏｒ)を端末１０に送信することができる。この活性化指示子は、活性化集合に属する各コンポーネントキャリアの活性化及び非活性化で個別的に表示する情報である。
【０１１２】
図９に示すように、全てのコンポーネントキャリア(ＣＣ１乃至ＣＣ５)の中から、制御情報を送信することができるコンポーネントキャリアのみ(ＣＣ１、ＣＣ３、ＣＣ４)が選択され、１次予備活性化集合として設定される。この時、基地局２０は、１次予備活性化集合として設定されないコンポーネントキャリア(ＣＣ２、ＣＣ５)を非活性化させる。この時、基地局２０は、１次予備活性化集合に該当して活性化されたコンポーネントキャリアをコンポーネントキャリアの番号に該当するビットに“１”で表示し、１次予備活性化集合として設定されない非活性化されたコンポーネントキャリアをコンポーネントキャリアの番号に該当するビットに“０”で表示する活性化指示子を、端末１０に送信する。
【０１１３】
活性化指示子は、１次予備活性化集合に基づいて生成されても良いし、２次予備活性化集合に基づいて生成されても良い。例えば、図９に示す１次予備活性化集合の該当可否によって活性化/非活性化されたコンポーネントキャリアを５ビットで表示すると、活性化指示子は“１０１１０”になる。また、図９に示す２次予備活性化集合の該当可否によって活性化/非活性化されたコンポーネントキャリアを５ビットで表示すると、活性化指示子は“１００１０”になる。
【０１１４】
ここで、無線通信システムは、最大５個のコンポーネントキャリアを同時に使用するシステムである。さらに、無線通信システムが少なくとも５個以上のＭ個のコンポーネントキャリアをサポートするシステムである場合、前記コンポーネントキャリアに対応する活性化指示子は、ｍビットで設定される。一例に、端末が一つの主サービングセルと７個の副サービングセルをサポートする場合、即ち、８個のコンポーネントキャリアの活性化可否を指示するために、前記活性化指示子は８ビット長さに設定されることができる。この時、主サービングセルの特性に依って、主サービングセルに対する活性化指示子が設定されないこともある。
【０１１５】
図１０は、本発明による基地局の活性化指示子を送信するフローチャートである。
【０１１６】
図１０を参照すると、無線通信環境において、端末１０は基地局２０と同期を確立し、特定周波数帯域で物理放送チャネル(Ｐｈｙｓｉｃａｌ Ｂｒｏａｄｃａｓｔ ｃｈａｎｎｅｌ；以下、“ＰＢＣＨ”という)を通じてＭＩＢ(Ｍａｓｔｅｒ Ｉｎｆｏｒｍａｔｉｏｎ Ｂｌｏｃｋ)を受信したり、ＰＤＳＣＨを通じてＳＩＢ(Ｓｙｓｔｅｍ Ｉｎｆｏｒｍａｔｉｏｎ Ｂｌｏｃｋ)を受信することができる。このような過程を通じ、端末１０は、基地局２０と通信のための基本制御情報を交換し、基地局２０と通信が可能な状態にキャンプオン(ｃａｍｐ−ｏｎ)することができる。
【０１１７】
基地局２０または基地局２０のスケジューラは、前記キャンプオン過程を通じて、確認可能であり且つ制御情報活性化集合またはデータ情報活性化集合を構成または設定するために使用可能な情報を、収集する(Ｓ１０１０)。かかる情報の例としては、端末１０の装置特性、例えば、電力特性、ＲＦ装置特性、基底帯域送受信方式、使用アルゴリズム、使用可能ＣＣ、サポート可能サービス、アンテナ個数などが、挙げられる。
【０１１８】
次に、基地局２０または基地局２０のスケジューラは、前述したようにキャンプオン過程で収集した情報と基地局２０が既に知っている情報とを用い、図６乃至図８を参照して説明した活性化集合を構成または設定する方法に従って、活性化集合を設定する(Ｓ１０２０)。
【０１１９】
次に、基地局２０または基地局２０のスケジューラは、Ｓ１０２０ステップで設定した活性化指示子を、該当端末１０に送信する(Ｓ１０３０)。基地局２０は、図９を参照して説明したように、コンポーネントキャリアが活性化集合に属するか否かに従って、活性化/非活性化されたコンポーネントキャリアを５ビットで表示した活性化指示子を、端末１０に送信しても良い。
【０１２０】
また、８個のサービングセルをサポートする場合、８ビット長さに設定された活性化指示子を端末１０に送信することもできる。ここで、主サービングセルは、常に活性化状態であるため、前記主サービングセルに対する活性化指示子が設定されない副サービングセルのために、７ビット活性化指示子が送信されても良い。
【０１２１】
この時、この活性化指示子は、該当端末１０にＰＤＣＣＨを介して送信されても良いし、ＰＤＳＣＨを介して送信されても良い。
【０１２２】
また、基地局２０は、活性化指示子を、無線リソース制御(Ｒａｄｉｏ Ｒｅｓｏｕｒｃｅ Ｃｏｎｔｒｏｌ、以下“ＲＲＣ”という)シグナリングを介して送信することができる。また、基地局２０は、活性化指示子を構成した後、Ｌ２以上の上位階層のシグナリングを用いて送信したり、或いはＬ１シグナリングを用いて送信したり、或いはＬ１シグナリングとＬ２以上の上位階層のシグナリングを組合せて送信することができる。この時、状況に応じて前記シグナリングのうち一つを選択的に適用することにより、構成した活性化指示子を、部分的又は全体的に送信することができる。
【０１２３】
Ｌ２以上の上位階層は、ＭＡＣ(Ｍｅｄｉｕｍ Ａｃｃｅｓｓ ｃｏｎｔｒｏｌ)階層またはＲＬＣ(Ｒａｄｉｏ Ｌｉｎｋ Ｃｏｎｔｒｏｌ)階層、ＰＤＣＰ(Ｐａｃｋｅｔ Ｄａｔａ Ｃｏｎｖｅｒｇｅｎｃｅ Ｐｒｏｔｏｃｏｌ)階層、ＢＭＣ(Ｂｒｏａｄｃａｓｔ/Ｍｕｌｔｉｃａｓｔ Ｃｏｎｔｒｏｌ)階層を含むＬ２階層やＲＲＣ(Ｒａｄｉｏ Ｒｅｓｏｕｒｃｅ Ｃｏｎｔｒｏｌ)階層を含むＬ３階層など、物理階層(Ｌ１階層)より上位階層を意味する。
【０１２４】
図１１は、本発明によって活性化指示子の送信装置を概略的に示す。
【０１２５】
図１１を参照すると、活性化指示子の送信装置１１００は、送受信部１１１０と制御部１１２０を含む。ここで、制御部１１２０は、活性化集合設定部１１２４、活性化指示子生成部１１２２を含み、送受信部１１１０は、メッセージ送信部１１１２及びメッセージ受信部１１１４を含む。
【０１２６】
活性化集合設定部１１２４は、図６乃至図１０で説明したように、キャンプオン過程を通じて収集した情報と基地局２０が既に知っている情報とを用いて、活性化することができるコンポーネントキャリアを確認する。また、活性化集合設定部１１２４は、前記確認されたコンポーネントキャリアのうち、条件を充たすコンポーネントキャリアから、活性化集合を構成する。
【０１２７】
活性化指示子生成部１１２２は、前記設定された活性化集合に基づいて活性化指示子を生成し、生成された活性化指示子をメッセージ送信部１１１２に伝達する。
【０１２８】
メッセージ送信部１１１２は、活性化指示子生成部１１２２から活性化指示子の伝達を受け、該当端末１０に送信する。この時、送受信部１１１０は、前述されたように、ＰＤＣＣＨを通じて前記設定した要素搬送集合情報を送信しても良いし、ＰＤＳＣＨを通じて送信しても良いし、Ｌ２以上の上位階層のシグナリングを用いて送信したり、或いはＬ１シグナリングを用いて送信したり、或いはＬ１シグナリングとＬ２以上の上位階層のシグナリングを組合せて送信しても良い。
【０１２９】
メッセージ送信部１１１２が活性化指示子をＬ２シグナリングに送信する場合、活性化指示子は、ＭＡＣ ＰＤＵ(Ｐｒｏｔｏｃｏｌ Ｄａｔａ Ｕｎｉｔ)であり、これは活性化指示子生成部１１２４により生成される。活性化指示子生成部１１２４が活性化指示子をＭＡＣ ＰＤＵの形式に生成する方法について、図１６以下で詳細に説明する。
【０１３０】
メッセージ受信部１１１４は、端末１０とキャンプオン過程を通じて、制御情報活性化集合またはデータ情報活性化集合の設定に必要な情報を、端末１０から受信する。当該情報は、端末１０の装置特性、例えば、電力特性、ＲＦ装置特性、基底帯域送受信方式、使用アルゴリズム、使用可能ＣＣ、サポート可能サービス、アンテナ個数などである。メッセージ受信部１１１４は、前記受信した情報を活性化集合設定部１１２４に伝達される。
【０１３１】
以下、図１２を参照して、本発明の一例による無線通信システムにおけるＯＦＤＭとＭＩＭＯの使用例を、説明する。図１２は、本発明によって活性化指示子を送信するダウンリンク物理チャネルの信号生成構造を示す。
【０１３２】
図１２を参照すると、ダウンリンク物理チャネルの信号生成構造１２００は、スクランブラ１２１０、モジュレイションマッパ１２２０、レイヤマッパ１２３０、プリコーダ１２４０、リソースエレメントマッパ１２５０、及びＯＦＤＭ信号生成器１２６０を含む。
【０１３３】
活性化指示子は、ダウンリンクでチャネルコーディングを経てコードワードフォーマット(ｃｏｄｅ ｗｏｒｄｓ  ｆｏｒｍａｔ)に入力される。この時、ダウンリンクでチャネルコーディングを経てコードワードフォーマット(ｃｏｄｅ ｗｏｒｄｓ  ｆｏｒｍａｔ)に入力されるビットは、スクランブラ１２１０によりスクランブリングされた後、モジュレイションマッパ(Ｍｏｄｕｌａｔｉｏｎ ｍａｐｐｅｒ)１２２０に入力される。
【０１３４】
モジュレイションマッパ１２２０は、スクランブリングされたビットを複素モジュレイションシンボルに変調し、レイヤマッパ(Ｌａｙｅｒ Ｍａｐｐｅｒ)１２３０は、複素モジュレイションシンボルを一つまたは複数の送信レイヤにマッピングする。その後、プリコーダ１２４０は、アンテナポートの各送信チャネル上で複素モジュレイションシンボルをプリコーディングする。その後、リソースエレメントマッパ(Ｒｅｓｏｕｒｃｅ Ｅｌｅｍｅｎｔ Ｍａｐｐｅｒ)１２５０が、各アンテナポート(アンテナ＃１乃至８)に対する複素モジュレイションシンボルを、該当リソースエレメントにマッピングする。
この時、メッセージ送信部１１１５の信号生成構造１２００において、ＯＦＤＭシンボル(ｘ軸)と副搬送波位置(ｙ軸)のリソースは、前述したように予め定められた規則によって割り当てられ、予め定められたフレームタイミングで、基地局送信フレームに多重化する。
【０１３５】
その後、ＯＦＤＭ信号生成器１２６０は、各アンテナのための複素時間ドメインＯＦＤＭ信号を生成する。この複素時間ドメインＯＦＤＭ信号は、アンテナポートを介して送信される。
【０１３６】
図１３は、本発明によって活性化指示子を受信するフローチャートである。図１３を参照すると、Ｓ１３１０で、端末１０は活性化指示子を受信し、Ｓ１３２０で、前記受信された活性化指示子に基づいて非活性化されていた少なくとも一つのコンポーネントキャリアを活性化したり、或いは活性化されていた少なくとも一つのコンポーネントキャリアを非活性化させる。この時、前記活性化指示情報は、５ビットで表示されても良い。
【０１３７】
一方、前記端末が８個のサービングセルをサポートする場合、８ビットで表示された活性化指示子を受信することができる。ここで、端末は、主サービングセルに対する活性化指示子が設定されない副サービングセルに対する７ビットの活性化指示子を、受信しても良い。
【０１３８】
Ｓ１３３０で、端末は、前記活性化された少なくとも一つのコンポーネントキャリアを介して基地局２０から送信されるＰＤＣＣＨまたはＰＤＳＣＨを受信し、復調及び解析する。換言すると、端末は、非活性化された少なくとも一つのコンポーネントキャリアを介してＰＤＣＣＨまたはＰＤＳＣＨを受信することができない。また、端末は、前記非活性化されたコンポーネントキャリアを介してアップリンクスケジューリンググラントが不可であるため、前記非活性化コンポーネントキャリアを介するアップリンクデータ送信が不可である。
【０１３９】
前記Ｓ１３３０に対してより具体的に説明する。ここでは、端末がは例えば８個のサービングセルをサポートすると、仮定する。この場合、活性化集合が基地局と端末との間におけるＰＤＣＣＨの受信を基準にする場合、端末は、８ビットで表示された活性化指示子を確認し、活性化状態に指示されている対応副サービングセルを用いてＰＤＣＣＨを受信し、受信された制御情報を復調及び解析する。
【０１４０】
また、活性化集合が基地局と端末との間におけるＰＤＳＣＨの受信を基準にする場合、端末は、８ビットで表示された活性化指示子を確認し、活性化状態に指示されている対応副サービングセルを用いてＰＤＳＣＨを受信し、受信されたデータ情報を復調及び解析する。
【０１４１】
また、活性化集合が基地局と端末との間におけるＰＤＣＣＨ及びＰＤＳＣＨのうち少なくとも一つの受信を基準にする場合、端末は、８ビットで表示された活性化指示子を確認し、活性化状態に指示されている対応副サービングセルを用いてＰＤＣＣＨまたはＰＤＳＣＨを受信する。そして、端末は、受信された制御情報またはデータ情報を復調及び解析する。
【０１４２】
一方、ＰＤＣＣＨについては、端末は、非活性化されたサービングセルのうちの特定のサービングセルを用いることにより、ＰＤＣＣＨを選択的に受信及び復調することができる。ここで、復調は、前記受信されたＰＤＣＣＨが前記端末のためのＰＤＣＣＨであるかを確認する処理であり、ＣＲＣチェックを含む。この時、前記端末は、前記非活性化状態にあるサービングセルを用いることによって受信されたＰＤＣＣＨ中に含まれている制御情報を、解析しない。
【０１４３】
一方、端末は、ＲＲＣシグナリングを実行することにより、前記活性化指示子を受信することができる。その代わりに、端末は、上位階層（Ｌ２以上）のシグナリングを用いて活性化指示子を受信しても、或いはＬ１シグナリングを用いて受信しても、或いはＬ１シグナリングとＬ２以上の上位階層が組合せたシグナリングを介して受信しても良い。
【０１４４】
端末１０は、確認されたＣＣを用いることにより、データ情報が受信される区域及び制御情報が受信される区域を確認する。この時、制御情報が受信される区域は、データ情報が受信される区域を確認するために、利用可能である。
【０１４５】
図１４は、本発明によって活性化指示子を受信する受信装置を示す。図１４を参照すると、無線通信システムにおける端末の受信装置１４００は、受信処理部１４１０と、活性化集合確認部１４２０と、情報解析部１４３０とを含む。
【０１４６】
各アンテナポートを介して受信した信号は、受信処理部１４１０により、複素時間ドメイン信号に変換される。
【０１４７】
活性化集合確認部１４２０は、基地局のＲＲＣシグナリングを用いることにより、前記変換された信号から、端末において構成されるべきサービングセルのサービングセルインデックスを抽出する。また、活性化集合確認部１４２０は、特定のサービングセルインデックスに基づいてコンポーネントキャリアの活性化又は非活性化を指示するインデックスマッピング情報(ｉｎｄｅｘ ｍａｐｐｉｎｇ ｉｎｆｏｒｍａｔｉｏｎ)及び活性化指示子を、基地局のＭＡＣメッセージから抽出する。
【０１４８】
活性化指示子は、所定長さのビットマップ(ｂｉｔｍａｐ)の形式に構成されても良い。前記ビットマップの長さは、４ビット、８ビット等、多様に定められ得る。前記ビットマップの各ビットは、その位置に応じて、一意なサービングセルのインデックスに対応し、或いは、マッピングされる。前記サービングセルは、主サービングセルであってもよく、副サービングセルであってもよい。
【０１４９】
一例として、前記ビットマップの長さが８ビットである場合、前記端末に設定されるサービングセルインデックスは、前記活性化指示子のビットマップ上で、固有な位置のビットにマッピングされる。この時、サービングセルインデックスがどの位置のビットに一意に対応するかは、別途のシグナリング無しに、端末と基地局との間で予め了解されていなければならない。
【０１５０】
他の例として、前記ビットマップの長さが４ビットである場合、前記端末に設定されるサービングセルインデックスは、その順序に従って整列(ｏｒｄｅｒｅｄ)されて前記ビットマップにマッピングされる。例えば、最も低い順位のビットは、端末内に設定されたサービングセルのうち最も小さいサービングセルインデックスに基づいてコンポーネントキャリアの活性化／非活性化を示す。また、その次の順位のビットは、端末に設定されたサービングセルのうち２番目に小さいサービングセルインデックスに基づいてコンポーネントキャリアの活性化／非活性化を示す。この時、前記端末内に設定されるべきサービングセルのサービングセルインデックスが整列されて前記ビットマップにマッピングされる順序は、別途のシグナリングなしに、端末と基地局との間で予め了解されていなければならない。
【０１５１】
他の例として、前記ビットマップの長さが４ビットである場合、前記ビットマップ上における、前記端末内に設定されるべきサービングセルのサービングセルインデックスに対応するビット位置は、基地局から端末に対して合図されても良い。
【０１５２】
活性化指示子及びインデックスマッピング情報に対する詳細な説明は後述する。
【０１５３】
活性化集合確認部１４２０は、特定情報に対応してグルーピングされたコンポーネントキャリアを確認する。前記特定情報に応じて前記活性化集合が異なっていても良い。
【０１５４】
情報解析部１４３０は、前記確認された活性化集合内の各コンポーネントキャリアに対する情報を確認して解析し、制御情報またはデータ情報を獲得する。情報解析部１４３０は、該当制御情報活性化集合内に存在する制御情報(即ち、ＰＤＣＣＨ)を受信した後、制御情報(即ち、ＰＤＣＣＨ)によって示されるデータ情報(即ち、ＰＤＳＣＨ)を、確認することができる。
【０１５５】
また、情報解析部１４３０は、制御情報活性化集合に属するコンポーネントキャリアに存在する制御情報はブラインドデコーディングされ、データ情報活性化集合に属するコンポーネントキャリアのデータ情報が確認されるように、当該情報を用いることにより、制御情報活性化集合及びデータ情報活性化集合に属するコンポーネントキャリアのみを受信しても良い。
【０１５６】
また、情報解析部１４３０は、前記抽出された活性化指示子から、各コンポーネントキャリアの活性化／非活性化を確認する。それによって、受信装置１４００は、活性化されたコンポーネントキャリアの制御チャネルのみを、選択的に、モニタし、ブラインドデコーディングし、或いは受信し、非活性化されたコンポーネントキャリアについては、モニタせず、ブラインドデコーディングせず、受信しない。特定のダウンリンクコンポーネントキャリアが非活性化された場合、受信装置１４００は、対応するサービングセルのＰＤＣＣＨ(ダウンリンク割当及びアップリンクグラント)を、もはや受信しない。また、搬送波間スケジューリング(ｃｒｏｓｓ ｃａｒｒｉｅｒ ｓｃｈｅｄｕｌｉｎｇ)環境下で特定のダウンリンクコンポーネントキャリアが非活性化された場合、受信装置１４００は、端末固有のＰＤＣＣＨ検索空間(ｓｅａｒｃｈ ｓｐａｃｅ)に関連されたダウンリンク割当を、もはや受信する必要がない。
【０１５７】
無線通信システムにおける端末の受信装置１４００は、図１１または図１２を参照して説明した基地局の送信装置１１００と対になり、送信装置１１００から送信された信号を受信する装置である。従って、受信装置１４００は、送信装置１１００の逆過程の信号処理のための要素で構成される。
【０１５８】
従って、本発明で受信装置１４００に対して具体的に説明しない部分は、図１１の信号処理とは逆の信号処理を実行するための各要素によって置き換えられると理解されなければならない。また、送信装置１１００の詳述されていない動作は、図１４の受信装置１４００の動作とは逆の動作を実行する要素によって、実行可能である。
【０１５９】
以下、サービングセルの定義及び種類、並びに活性化指示子について、詳細に説明する。
【０１６０】
サービングセルは、現在端末がサービスを提供を受けているセルを意味する。隣接セルは、サービングセルと地理的にまたは周波数帯域上で隣接したセルを意味する。特定セルを介してパケットデータの送受信が行われるためには、まず、端末は、特定セルまたはキャリアコンポーネントの設定(ｃｏｎｆｉｇｕｒａｔｉｏｎ)を完了しなければならない。ここで、設定(ｃｏｎｆｉｇｕｒａｔｉｏｎ)とは、該当セルまたはキャリアコンポーネントに対するデータ送受信に必要なシステム情報受信を完了した状態を意味する。
【０１６１】
例えば、前記設定(ｃｏｎｆｉｇｕｒａｔｉｏｎ)は、前記データ送受信に必要な共通物理階層パラメータ、ＭＡＣ階層パラメータ、又は、ＲＲＣ階層で特定動作に必要なパラメータを受信する全般的な処理を、含んでも良い。このように、セルまたはキャリアコンポーネントが完全に構成された時には、当該セル又はキャリアコンポーネントは、パケットデータが送信可能であることを示すシグナリング情報を受信し次第直ちにパケットの送受信が可能になるという状態にある。
【０１６２】
一方、完全に設定された状態にあるセルは、活性化(Ａｃｔｉｖａｔｉｏｎ)或いは非活性化(Ｄｅａｃｔｉｖａｔｉｏｎ)状態にある。設定状態(Ｃｏｎｆｉｇｕｒａｔｉｏｎ)を活性化状態と非活性化状態とに区分する理由は、活性化状態にある間のみ端末が制御チャネル(ＰＤＣＣＨ)及びデータチャネル(ＰＤＳＣＨ)をモニタリング或いは受信できるようにすることによって、ＵＥのバッテリ(Ｂａｔｔｅｒｙ)消費を最小化するためである。ここで、設定が完了した直後の活性化に関連した初期状態は、非活性化状態である。
【０１６３】
活性化は、トラフィックデータの送信または受信が行なわれる状態，あるいは、準備状態(ｒｅａｄｙ ｓｔａｔｅ)にあることを意味する。端末は、自身に割り当てられたリソース(例えば、周波数、時間など)を確認するために、活性化されたセルの制御チャネル(ＰＤＣＣＨ)及びデータチャネル(ＰＤＳＣＨ)をモニタし、ブラインドデコーディングし、或いは受信することができる。
【０１６４】
非活性化は、トラフィックデータの送信または受信が不可であり、測定や最小情報の送信/受信が可能な状態にあることを意味する。端末は、非活性化セルからパケット受信のために必要なシステム情報(ＳＩ)を受信することができる。反面、端末は、自身に割り当てられたリソース(例えば、周波数、時間など)を確認するために非活性化されたセルの制御チャネル(ＰＤＣＣＨ)及びデータチャネル(ＰＤＳＣＨ)をモニタせず、ブラインドデコーディングせず、或いは受信しない。
【０１６５】
図１５は、主サービングセル(Ｐｒｉｍａｒｙ Ｓｅｒｖｉｎｇ Ｃｅｌｌ；ＰＳＣ)と副サービングセル(Ｓｅｃｏｎｄａｒｙ Ｓｅｒｖｉｎｇ Ｃｅｌｌ；ＳＳＣ)の概念を説明する説明図である。図１５を参照すると、主サービングセル１５０５は、ＲＲＣ連結(ｅｓｔａｂｌｉｓｈｍｅｎｔ)または再連結(ｒｅ−ｅｓｔａｂｌｉｓｈｍｅｎｔ)状態で、セキュリティ入力(ｓｅｃｕｒｉｔｙ ｉｎｐｕｔ)とＮＡＳ移動情報(ｍｏｂｉｌｉｔｙ ｉｎｆｏｒｍａｔｉｏｎ)を提供する一つのサービングセルを意味する。端末の性能(ｃａｐａｂｉｌｉｔｉｅｓ)に従って、少なくとも一つのセルが主サービングセル１５０５と共にサービングセルの集合を形成するように構成され得る。前記少なくとも一つのセルを副サービングセル１５２０という。
【０１６６】
従って、一つの端末に対して設定されたサービングセルの集合は、一つの主サービングセル１５０５のみで構成されても良いし、一つの主サービングセル１５０５と少なくとも一つの副サービングセル１５２０で構成されても良い。
【０１６７】
主サービングセル１５０５と内部周波数の点で隣接したセル１５００、１５１０及び/または副サービングセル１５２０と内部周波数の点で隣接したセル１５１５、１５２５は、同じ搬送波周波数に属する。また、主サービングセル１５０５と内部周波数の点で隣接したセル１５３０、１５３５、１５４０と副サービングセル１５２０とは、相違する搬送波周波数に属する。
【０１６８】
主サービングセル１５０５に対応するダウンリンクコンポーネントキャリアをダウンリンク主コンポーネントキャリア(ＤＬ ＰＣＣ)といい、主サービングセル１５０５に対応するアップリンクコンポーネントキャリアをアップリンク主コンポーネントキャリア(ＵＬ ＰＣＣ)という。また、ダウンリンクで、副サービングセル１５２０に対応するコンポーネントキャリアをダウンリンク副コンポーネントキャリア(ＤＬ ＳＣＣ)といい、アップリンクで、副サービングセル１５２０に対応するコンポーネントキャリアをアップリンク副コンポーネントキャリア(ＵＬ ＳＣＣ)という。一つのサービングセルには、ダウンリンクコンポーネントキャリアのみが対応することもでき、ダウンリンクコンポーネントキャリアとアップリンクコンポーネントキャリアが共に対応することもできる。
【０１６９】
ＰＣＣは、複数のコンポーネントキャリアのうち、端末が最初に接続(或いは、ＲＲＣ接続)を確立するコンポーネントキャリアである。ＰＣＣは、複数のコンポーネントキャリアに対するシグナリングのための接続(或いは、ＲＲＣ接続)として機能し、端末に関連した接続情報である端末文脈情報(ＵＥ Ｃｏｎｔｅｘｔ)を管理するための特別なコンポーネントキャリアである。また、ＰＣＣは、端末との接続を確立してＲＲＣ接続モードに入ると、常時活性化状態となる。
【０１７０】
ＳＣＣは、ＰＣＣ以外の端末に割り当てられたコンポーネントキャリアである。ＳＣＣは、ＰＣＣに加えて、追加的リソース割当等をするために拡張された搬送波(Ｅｘｔｅｎｄｅｄ Ｃａｒｒｉｅｒ)であり、活性化状態と非活性化状態とに分割される。前記ＳＣＣの初期状態は非活性化である。
【０１７１】
主サービングセル１５０５と副サービングセル１５２０は、次のような特徴を有する。
【０１７２】
第１に、主サービングセル１５０５は、ＰＵＣＣＨの送信のために使われる。
【０１７３】
第２に、主サービングセル１５０５が常に活性化されているの対して、副サービングセル１５２０は特定条件によって活性化/非活性化される搬送波である。
【０１７４】
第３に、主サービングセル１５０５が無線リンク失敗(Ｒａｄｉｏ Ｌｉｎｋ Ｆａｉｌｕｒｅ；以下、ＲＬＦという)を経験すると、ＲＲＣ再接続が起動されるが、副サービングセル１５２０がＲＬＦを経験する時にはＲＲＣ再接続が起動されない。
【０１７５】
第４に、主サービングセル１５０５は、セキュリティキー(ｓｅｃｕｒｉｔｙ ｋｅｙ)変更やＲＡＣＨ(Ｒａｎｄｏｍ Ａｃｃｅｓｓ ＣＨａｎｎｅｌ)手順によるハンドオーバー手順により、変更され得る。
【０１７６】
これによって、副サービングセル１５２０の再設定(ｒｅｃｏｎｆｉｇｕｒａｔｉｏｎ)、追加(ａｄｄｉｎｇ)、及び除去(ｒｅｍｏｖａｌ)のような手順は、ＲＲＣ階層により実行可能である。副サービングセル１５２０の新規追加において、専用副サービングセルのシステム情報を送信するために、ＲＲＣシグナリングが使用可能である。
【０１７７】
以下、活性化集合(ａｃｔｉｖａｔｉｏｎ ｇｒｏｕｐ)は、制御情報活性化集合とデータ情報活性化集合のうち少なくとも一つを全部含む集合として定義される。また、活性化指示子とは、活性化集合に基づいて活性化されたコンポーネントキャリア及び/または非活性化されたコンポーネントキャリアを指示する情報としても、定義される。他の側面で、活性化指示子は、端末がモニタリングするコンポーネントキャリアとモニタリングする必要がないコンポーネントキャリアを指示する情報としても、定義される。活性化指示子は、活性化集合に各々属するコンポーネントキャリア毎に、個別的に、活性化か非活性化かを示す。前述されたように、ダウンリンクコンポーネントキャリアが一つのサービングセルを構成しても良いし、ダウンリンクコンポーネントキャリアとアップリンクコンポーネントキャリアが連結設定されて一つのサービングセルを構成しても良い。
【０１７８】
従って、コンポーネントキャリアの活性化/非活性化は、サービングセルの活性化/非活性化の概念と同等である。例えば、サービングセル１がＤＬ ＣＣ１で構成されていると仮定する時、サービングセル１の活性化はＤＬ ＣＣ１の活性化を意味する。もし、サービングセル２がＤＬ ＣＣ２とＵＬ ＣＣ２とが接続を確立することによって構成されていると仮定する時、サービングセル２の活性化はＤＬ ＣＣ２とＵＬ ＣＣ２の活性化を意味する。また、主サービングセルはＰＣＣに対応し、副サービングセルはＳＣＣに対応する。
【０１７９】
図１６は、本発明の一例に係る活性化指示子を含むＭＡＣ ＰＤＵ(Ｐｒｏｔｏｃｏｌ Ｄａｔａ Ｕｎｉｔ)を示す。これはＣａｓｅ１とＣａｓｅ２に全部適用される活性化指示子を含む。ＭＡＣ ＰＤＵは転送ブロック(Ｔｒａｎｓｐｏｒｔ Ｂｌｏｃｋ；ＴＢ)と呼ばれることもある。
【０１８０】
図１６を参照すると、ＭＡＣ ＰＤＵ１６００は、ＭＡＣヘッダ(ｈｅａｄｅｒ)１６１０、少なくとも一つのＭＡＣ制御要素１６２０,...,１６２５、少なくとも一つのＭＡＣ ＳＤＵ(Ｓｅｒｖｉｃｅ Ｄａｔａ Ｕｎｉｔ)１６３０−１,...,１６３０−ｍ、及びパディング(ｐａｄｄｉｎｇ)１６４０を含む。
【０１８１】
ＭＡＣ制御要素１６２０、１６２５は、ＭＡＣ階層が生成する制御メッセージである。
【０１８２】
ＭＡＣ ＳＤＵ１６３０−１,...,１６３０−ｍは、ＲＬＣ(Ｒａｄｉｏ Ｌｉｎｋ Ｃｏｎｔｒｏｌ)階層で伝達されたＲＬＣ ＰＤＵと同様である。パディング(ｐａｄｄｉｎｇ)１６４０は、ＭＡＣ ＰＤＵの大きさを一定にするように添加される所定個数のビットである。ＭＡＣ制御要素１６２０,...,１６２５、ＭＡＣ ＳＤＵ１６３０−１,...,１６３０−ｍ、及びパディング１６４０を合わせて、ＭＡＣペイロード(ｐａｙｌｏａｄ)と呼ばれることもある。
【０１８３】
ＭＡＣヘッダ１６１０は、少なくとも一つのサブヘッダ(ｓｕｂ−ｈｅａｄｅｒ)１６１０−１,１６１０−２,...,１６１０−ｋを含み、各サブヘッダ１６１０−１,１６１０−２,...,１６１０−ｋは、一つのＭＡＣ ＳＤＵまたは一つのＭＡＣ制御要素またはパディングに、対応(ｃｏｒｒｅｓｐｏｎｄｉｎｇ)する。サブヘッダ１６１０−１,１６１０−２,...,１６１０−ｋの順序は、ＭＡＣ ＰＤＵ１６００内で対応するＭＡＣ ＳＤＵ、ＭＡＣ制御要素またはパディングの順序と同じである。
【０１８４】
各サブヘッダ１６１０−１,１６１０−２,...,１６１０−ｋは、Ｒ、Ｒ、Ｅ、ＬＣＩＤの４個のフィールドを含んでも良いし、Ｒ、Ｒ、Ｅ、ＬＣＩＤ、Ｆ、Ｌの６個のフィールドを含んでも良い。４個のフィールドを含むサブヘッダはＭＡＣ制御要素またはパディングに対応するサブヘッダであり、６個のフィールドを含むサブヘッダはＭＡＣ ＳＤＵに対応するサブヘッダである。
【０１８５】
論理チャネル識別情報(ＬＣＩＤ；Ｌｏｇｉｃａｌ Ｃｈａｎｎｅｌ ＩＤ)フィールドは、ＭＡＣ ＳＤＵに対応する論理チャネルを識別したり、或いはＭＡＣ制御要素またはパディングの種類(ｔｙｐｅ)を識別する識別フィールドであり、５ビットである。
【０１８６】
例えば、ＬＣＩＤフィールドは、該当ＭＡＣ制御要素が剰余電力の送信のための剰余電力ＭＡＣ制御要素であるか否か、端末にフィードバック情報を要求するフィードバック要求ＭＡＣ制御要素であるか否か、非連続的受信命令に対するＤＲＸ(Ｄｉｓｃｏｎｔｉｎｕｏｕｓ Ｒｅｃｅｐｔｉｏｎ)命令ＭＡＣ制御要素であるか否か、及び、端末間のコンテンション解決のためのコンテンション解決識別子(Ｃｏｎｔｅｎｔｉｏｎ Ｒｅｓｏｌｕｔｉｏｎ Ｉｄｅｎｔｉｔｙ)ＭＡＣ制御要素であるか否かを、識別する。
【０１８７】
また、本発明の実施形態によると、ＬＣＩＤフィールドは、該当ＭＡＣ制御要素が活性化指示子を含むＭＡＣ制御要素であるか否かを、識別することができる。ＭＡＣ ＳＤＵ、ＭＡＣ制御要素またはパディング(ｐａｄｄｉｎｇ)の各々に対して一つのＬＣＩＤフィールドが存在する。表１は、ＬＣＩＤフィールドの一例である。
【０１８８】
【表１】
0005525055.tif 000002
【０１８９】
表１を参照すると、１１０００のＬＣＩＤフィールド値は、該当ＭＡＣ制御要素がアップリンクコンポーネントキャリアの活性化/非活性化と関連された活性化指示子を含むＭＡＣ制御要素であることを示す。また、１１００１のＬＣＩＤフィールド値は、該当ＭＡＣ制御要素がダウンリンクコンポーネントキャリアの活性化/非活性化と関連された活性化指示子を含むＭＡＣ制御要素であることを示す。表１は、アップリンクコンポーネントキャリアとダウンリンクコンポーネントキャリアが独立的に活性化/非活性化される場合を示す。
【０１９０】
然しながら、アップリンクコンポーネントキャリアの活性化/非活性化は、ダウンリンクコンポーネントキャリアの活性化/非活性化によって従属的に決定されることもでき、これは表２の通りである。表２は、ＬＣＩＤフィールドの他の例である。
【０１９１】
【表２】
0005525055.tif 000003
【０１９２】
表２を参照すると、１１００１のＬＣＩＤフィールド値は、該当ＭＡＣ制御要素が活性化指示子を含むＭＡＣ制御要素であることを示す。これはダウンリンクコンポーネントキャリアとアップリンクコンポーネントキャリアの活性化/非活性化を一度に指示する。
【０１９３】
即ち、ＳＩＢ２に連結設定されているダウンリンクコンポーネントキャリアとアップリンクコンポーネントキャリアである活性化/非活性化が指示される。即ち、サービングセルの活性化/非活性化が指示される。ここで、主サービングセルは、常に活性化状態であるため、前記サービングセルの活性化/非活性化は、副サービングセルの活性化/非活性化を示す。
【０１９４】
活性化指示子は、基地局から端末に送信される情報であり、ＭＡＣ階層で生成されるメッセージまたはＲＲＣ階層で生成されるメッセージである。端末は、活性化指示子を参照し、基地局が提供することができる全体コンポーネントキャリアまたは端末に固有に設定されたコンポーネントキャリアのうち、活性化されるコンポーネントキャリアが何であるかを知ることができる。
【０１９５】
然しながら、主コンポーネントキャリア(ＰＣＣ)は、多重コンポーネントキャリアを用いた通信において基準になるコンポーネントキャリアであるため、同期維持及びシステム情報の受信等のために、大体、活性化されている。この時、基地局と端末は、主コンポーネントキャリアが常時活性化されることを黙示的に合意することができる(以下、Ｃａｓｅ１という)。加えて、コンポーネントキャリアが主コンポーネントキャリアであるとしても当該コンポーネントキャリアの活性化／非活性化を明示的に指示する場合も考慮されて良い(以下、Ｃａｓｅ２という)。Ｃａｓｅ１の場合、活性化指示子は、主コンポーネントキャリアの活性化を明示的に指示する必要がない。従って、端末は、特別な事情がない限り、主コンポーネントキャリアは活性化されたと見なして動作する。
【０１９６】
これに対して、Ｃａｓｅ２の場合、活性化指示子は、主コンポーネントキャリアの活性化を明示的に指示すべきである。Ｃａｓｅ１とＣａｓｅ２とでは異なる活性化指示子が用いられるので、以下では各場合に分けて説明する。
【０１９７】
１．Ｃａｓｅ１による活性化指示子の構造
【０１９８】
Ｃａｓｅ１用の活性化指示子は、副サービングセルの活性化/非活性化を明示的に指示する。然しながら、Ｃａｓｅ１による活性化指示子は、基本的に主サービングセルが活性化されたことを前提に構成される。従って、Ｃａｓｅ１による活性化指示子が主サービングセルの活性化/非活性化を別途に指示していなくても、端末は主サービングセルの活性化を認識する。
【０１９９】
図１７は、本発明の実施形態による活性化指示子を含むＭＡＣ制御要素を示す。これは、システムでサポート可能な副サービングセルの個数が活性化指示子を構成するＭＡＣ制御要素のビット数と同じである場合を示す。また、端末には、サポート可能な副サービングセルが全部設定されている場合である。
【０２００】
図１７を参照すると、活性化指示子を含むＭＡＣ制御要素１７００は、８ビット長さを有し、以下、活性指示ＭＡＣ制御要素と称される。活性指示ＭＡＣ制御要素１７００の各位置のビットは、各副サービングセルのインデックスと、１：１に対応する。例えば、サービングセルインデックス１は左側から８番目のビットに対応し、サービングセルインデックス２は左側から７番目のビットに対応する。ここで、サービングセルインデックスは、副サービングセル(Ｓｅｃｏｎｄａｒｙ Ｓｅｒｖｉｎｇ Ｃｅｌｌ；ＳＳＣ)に対するサービングセルインデックスを意味する。その理由は、主サービングセル(ＰＳＣ)は、端末と基地局との間で活性化されたと黙示的に見做され、それ故に、主サービングセルは活性化指示子には追加的に含められないからである。主サービングセルのインデックスは、常に一定値として与えられ、ここでは０として与えられると仮定する。従って、サービングセルのインデックスは、主サービングセルのインデックス０を除いた残りのインデックスである１,２,３,...,８として与えられる。ここでのサービングセルのインデックスは、端末毎に相対的に決定される論理的なインデックスであってもよく、特定周波数帯域のセルを指示する物理的なインデックスであってもよい。
【０２０１】
活性指示ＭＡＣ制御要素１７００が８ビットであるため、活性化指示子は、総計８個の副サービングセルのインデックスを示すことができる。即ち、活性化指示子は、活性化/非活性化を指示することができるコンポーネントキャリアを最大８個までカバーすることができる。
【０２０２】
サポート可能な全ての副サービングセルが端末に設定されている。この場合、端末には８個の副サービングセルが設定される。活性指示ＭＡＣ制御要素１７００は「１１００１００１」であり、各ビットは、左側から、夫々サービングセルインデックス{８,７,６,５,４,３,２,１}に対応する。従って、活性化指示子は、サービングセルインデックス{１,４,７,８}に該当するコンポーネントキャリアが活性化されることを指示し、サービングセルインデックス{２,３,５,６}に該当するコンポーネントキャリアが非活性化されることを指示する。ここで、サービングセルインデックス０は主サービングセルを示すため、活性指示ＭＡＣ制御要素１７００によっては指示されていないが、主サービングセルは、活性化されたものと黙示的に見なされる。活性指示ＭＡＣ制御要素１７００の各ビット位置に対応するサービングセルインデックスの順序は、例示に過ぎず、必ず図１７のような順序に配置される必要はなく、異なる順序に配置されてもよい。
【０２０３】
ただし、別途のシグナリングがないと、端末と基地局は、各サービングセルインデックスが活性指示ＭＡＣ制御要素１７００の各ビットにどのような順序で対応するかを了解していなければならない。前記順序は、端末に設定されたサービングセルのサービングセルインデックスが活性指示ＭＡＣ制御要素１７００の各ビットにマッピングされる順序を意味する。例えば、最も低い順位のビットは、端末に設定されたサービングセルのうち最も低いサービングセルインデックスによるコンポーネントキャリアの活性化／非活性化を示す。また、その次の順位のビットは、端末に設定されたサービングセルのうち２番目に低いサービングセルインデックスによるコンポーネントキャリアの活性化／非活性化を示す。前記順序は、基地局が別に端末に知らせず、相互同じ規則により定められる。
【０２０４】
図１８は、本発明の他の実施形態による活性化指示子を構成するＭＡＣ制御要素を示す。これは、システムでサポート可能な副サービングセルの個数が活性化指示子を構成するＭＡＣ制御要素のビット数と同じである場合を示す。また、端末にはサポート可能な副サービングセルのうち一部のみが設定されている場合である。
【０２０５】
図１８を参照すると、活性指示ＭＡＣ制御要素１８００の各ビットには、全体サービングセルのインデックス{１,２,３,４,５,６,７,８}が順次マッピングされる。端末に設定されたサービングセルのインデックスは{３,５,６,７}であり、このうち、活性化されたサービングセルのインデックスは{３,７}であり、非活性化されたサービングセルのインデックスは{５,６}である。端末に設定されないサービングセルのインデックス{１,２,４,８}に対応するビットは常に０にセッティングされ、活性化されたサービングセルインデックス{３,７}に対応するビットは１にセッティングされ、非活性化されたサービングセルインデックス{５,６}に対応するビットは０にセッティングされる。従って、ＭＡＣ制御要素１７００は「０１０００１００」で表現される。
【０２０６】
このように、端末に設定されていないサービングセルのインデックスに対応するビットは、非活性化の場合のように０にセッティングされ、この場合、端末は、端末に設定されていないサービングセルのインデックスに対応するビットを無視する。
【０２０７】
図１７及び図１８は、システムでサポート可能な副サービングセルの全体個数が活性指示ＭＡＣ制御要素の総ビット数と同じである場合を示す。然しながら、サポート可能な副サービングセルの全体個数が活性指示ＭＡＣ制御要素の総ビット数より少ない時には活性指示ＭＡＣ制御要素の残るビットをどのように活用するかを決定しなければならない。これは図１９の以下で説明する。
【０２０８】
図１９は、本発明の他の例に係る活性化指示子を構成するＭＡＣ制御要素を示す。これは、システムでサポート可能な副サービングセルの個数が活性化指示子を構成するＭＡＣ制御要素のビット数より少ない場合である。
【０２０９】
図１９を参照すると、活性指示ＭＡＣ制御要素１９００は、少なくとも一つのＲフィールド１９０５を含む。システムでサポート可能な副サービングセルの個数がｋであり、活性指示ＭＡＣ制御要素１９００のビット数がｍの場合、活性指示ＭＡＣ制御要素１９００で残るビット数であるｍ−ｋは、他の用途(例えば、アップリンクコンポーネントキャリアをダウンリンクコンポーネントキャリアとは独立的に活性化/非活性化する用途)で取り替えることができるように余分のＲフィールド１９０５として残される。例えば、ｍ＝８、ｋ＝４と仮定する。８−４＝４ビットはサービングセルインデックスとして使われないため、Ｒフィールド１９０５で構成する。
【０２１０】
従って、活性指示ＭＡＣ制御要素１９００は、「ＲＲＲＲ１００１」のように表現され、Ｒフィールド１９０５を除いた残りの４ビット（即ち、「１００１」）は、システムでサポート可能な副サービングセルのサービングセルインデックス{４,３,２,１}の順序に各々対応する。即ち、前記４ビットにサービングセルインデックスがマッピングされる順序は、システムでサポート可能な副サービングセルのサービングセルインデックスを基準に決定される。
【０２１１】
前記４ビットが指示するものは、端末に設定される副サービングセルの個数によって次のように変わる。前記４ビットが「ａｂｃｄ」とすると、ビットａ、ビットｂ、ビットｃ、ビットｄにはサービングセルインデックス{４,３,２,１}が順次対応する。
【０２１２】
一例として、システムでサポート可能な副サービングセルが全部端末に設定される場合を仮定する。前記４ビットが「１００１」であるため(ａ＝ｄ＝１、ｂ＝ｃ＝０)、これは、サービングセルインデックス{１,４}に該当するコンポーネントキャリアのみが活性化され、残りのサービングセルインデックス{２,３}に該当するコンポーネントキャリアは非活性化されることを示す。ここで、サービングセルインデックス０は、主サービングセルを示すため、活性指示ＭＡＣ制御要素１９００では指示されないが、活性化されたものと黙示的に見做される。
【０２１３】
他の例として、システムでサポート可能な副サービングセルのうちサービングセルインデックスが{４,３,１}である副サービングセルのみが端末に設定される場合を仮定する。サービングセルインデックスが{２}である副サービングセルは、端末に設定されないため、前記４ビットのうち、サービングセルインデックス{２}に対応するビット（即ち、ビットｃ）は０に設定され、「ａｂ０ｄ」のように常に０にセッティングされるかも知れない。この場合、端末は、端末に設定されていないサービングセルに対応するビットｃを無視する。また、前記４ビットが「１００１」であるため(ａ＝ｄ＝１、ｂ＝０)、サービングセルインデックス{１,４}に対応するコンポーネントキャリアが活性化され、サービングセルインデックス{３}に該当するコンポーネントキャリアが非活性化される。
【０２１４】
このように、ビットｃに対応するサービングセルインデックス{３}の副サービングセルが端末に設定されている場合、ｃ＝０は前記副サービングセルの非活性化を指示する。この時、端末はビットｃを無視せずに、０であるか或いは１であるかを判断する。反面、ビットｃに対応するサービングセルインデックス{３}の副サービングセルが端末に設定されていない場合、ｃ＝０は前記副サービングセルの非設定を指示する。端末はビットｃが０であることを認識することができるため、端末はビットｃを無視する。
【０２１５】
図２０は、本発明の他の例に係る活性化指示子を構成するＭＡＣ制御要素を示す。これは、サービングセルインデックスが各サービングセル(またはコンポーネントキャリア)の物理的中心周波数のインデックスである場合である。また、システムでサポート可能な副サービングセルの個数が活性化指示子を構成するＭＡＣ制御要素のビット数と同じである場合を示す。
【０２１６】
図２０を参照すると、活性化指示子を構成する活性指示ＭＡＣ制御要素２０００は、８ビット長さを有する。活性指示ＭＡＣ制御要素２０００の各ビットは、副サービングセルの周波数インデックスＦｉと１対１に対応する。例えば、副サービングセルの周波数インデックス１と４は、各々、活性指示ＭＡＣ制御要素２０００の８番目のビットと４番目のビットに対応する。ここで、Ｆｉは、副サービングセル(またはコンポーネントキャリア)の中心周波数ｉに対するインデックスである。例えば、Ｆ１は１００ＭＨｚ、Ｆ２は１２０ＭＨｚ、Ｆ３は１４０ＭＨｚを示す周波数インデックスである。勿論、これは例示に過ぎず、必ずしも周波数インデックスが増加する順に実際周波数大きさが増加するものではない。周波数の大きさが減少しても良いし、ランダムに、若しくは、順序や他の周波数の大きさとの関連なしに、定義されても良い。
【０２１７】
基地局と端末との間にで主サービングセルが常に活性化されるのであれば、活性化指示子は、主サービングセルに対する周波数インデックスを別途に表示する必要がない。従って、活性指示ＭＡＣ制御要素２０００は、最大８個までの副サービングセルに対する活性化/非活性化を指示することができる。主サービングセルの周波数インデックスをＦ０とすると、残りの副サービングセルの周波数インデックスは、Ｆ１〜Ｆ８を与えられ得る。従って、図２０のように、周波数インデックスＦ１〜Ｆ８は、活性指示ＭＡＣ制御要素２０００の８番目のビットから１番目のビットまでの各ビットに、順次各々マッピングされる。
【０２１８】
システムでサポート可能な副サービングセルの周波数インデックスは{Ｆ１,Ｆ２,Ｆ３,Ｆ４,Ｆ５,Ｆ６,Ｆ７,Ｆ８}であり、これらが全部端末に設定されており、このうち、活性化された副サービングセルの周波数インデックスは{Ｆ１,Ｆ４,Ｆ７,Ｆ８}である。従って、活性指示ＭＡＣ制御要素２０００は「１１００１００１」で表現される。
【０２１９】
ただし、これは例示に過ぎず、周波数インデックスＦ１からＦ８は、活性指示ＭＡＣ制御要素２０００の１番目のビットから８番目のビットまで順次各々マッピングされても良いし、ランダムにマッピングされても良い。
【０２２０】
図２１は、本発明の他の実施形態による活性化指示子を構成するＭＡＣ制御要素を示す。ここで、サービングセルインデックスは各サービングセルの物理的中心周波数のインデックスであり、システムでサポート可能な副サービングセルの個数は活性化指示子を構成するＭＡＣ制御要素のビット数より少ない。
【０２２１】
図２１を参照すると、活性指示ＭＡＣ制御要素２１００は、少なくとも一つのＲフィールド２１０５を含む。端末に設定された副サービングセルの個数がｋであり、活性指示ＭＡＣ制御要素２１００のビット数がｍの場合、活性指示ＭＡＣ制御要素２１００で残るビット数であるｍ−ｋは、他の用途(例えば、アップリンクコンポーネントキャリアをダウンリンクコンポーネントキャリアとは独立的に活性化/非活性化する用途)のために残される。例えば、活性指示ＭＡＣ制御要素２１００のビット数が８であり、システムでサポート可能な最大サービングセルの個数が４であるならば、４ビット（即ち、８−４）が副サービングセルの周波数インデックスとして使われないため、これらビットは、Ｒフィールド２１０５として構成される。
【０２２２】
従って、活性指示ＭＡＣ制御要素２１００は、「ＲＲＲＲ１００１」のように表現され、Ｒフィールド２１０５を除いた残りの４ビットが順次各々システムでサポート可能な副サービングセルの周波数インデックス{Ｆ４,Ｆ３,Ｆ２,Ｆ１}に対応する。前記残りの４ビットが「１００１」であるため、周波数インデックス{Ｆ４,Ｆ１}に対応するコンポーネントキャリアのみが活性化され、残りの周波数インデックス{Ｆ３,Ｆ２}に対応するコンポーネントキャリアは非活性化される。ここで、周波数インデックスＦ０は、主サービングセルを示すため、活性化指示子によって指示されないが、主サービングセルは、活性化されたものと黙示的に見做される。然しながら、主サービングセルのインデックスは、必ずＦ０である必要はなく、他のインデックスとして与えられても良い。このような場合、主サービングセルのインデックスは、活性化指示子から除外される。
【０２２３】
一方、端末に設定された副サービングセルの個数がシステムでサポート可能な最大コンポーネントキャリアの個数より少ない場合、設定されない副サービングセルの周波数インデックスに対応する活性指示ＭＡＣ制御要素２１００のビットは０にセッティングされる。この場合、端末は、端末に設定されていない副サービングセルに対応するビットを無視する。
【０２２４】
ここではＲフィールド２１０５が４個であると図示したが、これは例示に過ぎず、Ｒフィールド２１０５は存在しなくてもよく、４個以上または以下であってもよい。
【０２２５】
図２２は、本発明の他の実施形態による活性化指示子を構成するＭＡＣ制御要素を示す。ここで、端末に設定される副サービングセルの個数はシステムでサポート可能な副サービングセルの個数より少ない。ここでは、サポート可能な副サービングセルの個数が活性指示ＭＡＣ制御要素のビット数と同じであるか、或いは異なるかは、特別に問題にならない。ただし、説明の便宜のために、サポート可能な副サービングセルの個数が活性指示ＭＡＣ制御要素の全体ビット数より少なく、活性指示ＭＡＣ制御要素は少なくとも一つのＲフィールドを含むと、仮定する。
【０２２６】
図２２を参照すると、活性指示ＭＡＣ制御要素２２００は、４個のＲフィールド２２０５及び４ビットを含む。システムでサポート可能な副サービングセルの数が４個であり、これらに対するサービングセルインデックスは{４,３,２,１}である。前記４個の副サービングセルのうち、ｘ個が端末に設定される(ｘ≦４)。この時、サービングセルインデックスが前記４ビットにマッピングされる順序は、前記ｘ個の副サービングセルに対するサービングセルインデックスを基準に決定され、システムでサポート可能な前記４個の副サービングセルのサービングセルインデックスは基準ではない。
【０２２７】
もし、端末に設定される３個の副サービングセルのサービングセルインデックスが{４,３,１}の場合、前記４ビットのうち任意の３ビットのみが前記３個の副サービングセルの活性化/非活性化を指示し、残りの１ビットは常に０にセッティングされる。例えば、前記４ビットが「ａｂｃｄ」の場合、ビットａは常に０であり、残りのビットｂ、ビットｃ、ビットｄは前記３個の副サービングセルのサービングセルインデックスに対応する。図２２の例ではサービングセルインデックス{４,３,１}が各々ビットｂ、ビットｃ、ビットｄに順次対応する。ｂｃｄ＝１０１であるため、活性指示ＭＡＣ制御要素２２００は、サービングセルインデックスが{４,１}であるコンポーネントキャリアの活性化を指示し、サービングセルインデックスが{３}であるコンポーネントキャリアの非活性化を指示する。これは例示に過ぎず、常に０にセッティングされるビットはｂ、ｃ、ｄのうちいずれであっても良い。例えば、ｃ＝０にセッティングされると、前記図１９の例と同様である。
【０２２８】
ここではＲフィールド２２０５が４個であると図示したが、これは例示に過ぎず、Ｒフィールド２２０５は存在しなくてもよく、４個以上または以下であってもよい。
【０２２９】
図２３は、本発明の他の実施形態による活性化指示子を構成するＭＡＣ制御要素を示す。ここで、端末に設定される副サービングセルの個数はシステムでサポート可能な副サービングセルの個数より少なく、サービングセルインデックスは各サービングセルの物理的中心周波数のインデックスである。
【０２３０】
図２３を参照すると、活性指示ＭＡＣ制御要素２３００は、４個のＲフィールド２３０５及び４ビットを含む。システムでサポート可能な副サービングセルの数が４個であり、これらに対する周波数インデックスは{Ｆ４,Ｆ３,Ｆ２,Ｆ１}である。前記４個の副サービングセルのうち、ｘ個が端末に設定される(ｘ≦４)。この時、サービングセルインデックスが前記４ビットにマッピングされる順序は、前記ｘ個の副サービングセルに対するサービングセルインデックスを基準に決定され、システムでサポート可能な前記４個の副サービングセルのサービングセルインデックスは基準ではない。
【０２３１】
もし、端末に設定される３個の副サービングセルの周波数インデックスが{Ｆ４,Ｆ３,Ｆ１}の場合、前記４ビットのうち任意の３ビットのみが前記３個の副サービングセルの活性化/非活性化を指示し、残りの１ビットは常に０にセッティングされる。例えば、前記４ビットが「ａｂｃｄ」の場合、ビットａは常に０であり、残りのビットｂ、ビットｃ、ビットｄは前記３個の副サービングセルのサービングセルインデックスに対応する。図２３の例では、サービングセルインデックスが{Ｆ４,Ｆ３,Ｆ１}が各々ビットｂ、ビットｃ、ビットｄに順次対応する。ｂｃｄ＝１０１であるため、活性指示ＭＡＣ制御要素２３００は、サービングセルインデックスが{Ｆ４,Ｆ１}であるコンポーネントキャリアの活性化を指示し、サービングセルインデックスが{Ｆ３}であるコンポーネントキャリアの非活性化を指示する。これは例示に過ぎず、常に０にセッティングされるビットはｂ、ｃ、ｄのうちいずれであっても良い。例えば、ｃ＝０にセッティングされると、前記図２１の例と同様である。
【０２３２】
ここではＲフィールド２３０５が４個であると図示したが、これは例示に過ぎず、Ｒフィールド２３０５は存在しなくてもよく、４個以上または以下であってもよい。
【０２３３】
図２４は、本発明の他の例に係る活性化指示子を構成するＭＡＣ制御要素を示す。ここで、基地局は、ＲＲＣシグナリングを用いることによって、活性指示ＭＡＣ制御要素の各ビットが特定順序に並べられた各サービングセルインデックスに夫々対応することを、端末に知らせる。また、端末に設定される副サービングセルの個数は、システムでサポート可能な副サービングセルの個数と同じである。ここで、サポート可能な副サービングセルの個数が活性指示ＭＡＣ制御要素のビット数と同じか異なるかの別は、特に問題とならない。ただし、説明の便宜のために、サポート可能な副サービングセルの個数が活性指示ＭＡＣ制御要素の全体ビット数より少なく、活性指示ＭＡＣ制御要素は少なくとも一つのＲフィールドを含むと仮定する。
【０２３４】
図２４を参照すると、活性指示ＭＡＣ制御要素２４００は、４個のＲフィールド２４０５及び４ビットを含む。システムでサポート可能な副サービングセルの数は４個であり、これらに対するサービングセルインデックスは、各々、{４,３,２,１}であり、全部端末に対して設定されている。
【０２３５】
前記図１７乃至図２３では、基地局と端末との間にビットとサービングセルインデックス間の対応関係を別途のシグナリング無しに予め知っていると仮定した。これと違って、図２４では、システムでサポート可能な副サービングセルのサービングセルインデックスとビット位置との間のマッピング関係を指示するインデックスマッピング情報(ｉｎｄｅｘ ｍａｐｐｉｎｇ ｉｎｆｏｒｍａｔｉｏｎ)を基地局が端末に送信する。端末は、前記インデックスマッピング情報を受信し、これを用いてビット位置とサービングセルインデックスとの間のマッピング関係を確定する。以後、基地局は、端末がインデックスマッピング情報を受信することを確認すると、活性化指示子を端末に送信する。前記インデックスマッピング情報は、ＭＡＣメッセージ、ＲＲＣメッセージ、及び物理階層メッセージのうちいずれ一つである。
【０２３６】
例えば、前記４ビットが「ａｂｃｄ」であるとすると、ビットａ、ビットｂ、ビットｃ、ビットｄは、各々、４個のサービングセルインデックスに対応する。図２４のインデックスマッピング情報によると、ビットａにサービングセルインデックス{１}がマッピングされ、ビットｂにサービングセルインデックス{２}がマッピングされ、ビットｃにサービングセルインデックス{４}がマッピングされ、ビットｄにサービングセルインデックス{３}がマッピングされる。
【０２３７】
端末は、インデックスマッピング情報に基づいて、各ビット位置にマッピングされるべきサービングセルインデックスを確定した後、活性化指示子を含む活性指示ＭＡＣ制御要素２４００に基づいて各副サービングセルの活性化/非活性化を判断する。活性指示ＭＡＣ制御要素２４００中のＲフィールド２４０５を除いた残りの４ビットは、ａｂｃｄ＝１１００である。従って、活性指示ＭＡＣ制御要素２４００は、サービングセルインデックスが{１,２}であるコンポーネントキャリアの活性化を指示し、サービングセルインデックスが{３,４}であるコンポーネントキャリアの非活性化を指示する。これによって、端末は、サービングセルインデックス{３,４}に該当するコンポーネントキャリアを受信せずに、サービングセルインデックス{１,２}に該当するコンポーネントキャリアのみを受信する。
【０２３８】
図２５は、本発明の他の実施形態による活性化指示子を構成するＭＡＣ制御要素を示す。ここで、基地局は、ＲＲＣシグナリングを用いることによって、活性指示ＭＡＣ制御要素の各ビットが特定順序に並べられた各サービングセルインデックスに夫々対応することを、端末に知らせる。また、端末に設定される副サービングセルの個数は、システムでサポート可能な副サービングセルの個数より少ない。ここで、サポート可能な副サービングセルの個数が活性指示ＭＡＣ制御要素のビット数と同じか異なるかの別は、特に問題とならない。ただし、説明の便宜のために、サポート可能な副サービングセルの個数が活性指示ＭＡＣ制御要素の全体ビット数より少なく、活性指示ＭＡＣ制御要素は少なくとも一つのＲフィールドを含むと仮定する。
【０２３９】
図２５を参照すると、活性指示ＭＡＣ制御要素２５００は、４個のＲフィールド２５０５及び４ビットを含む。システムでサポート可能な副サービングセルの数は４個であり、これらに対するサービングセルインデックスは、各々、{４,３,２,１}であり、このうち{２,４,３}である副サービングセルのみが端末に対して設定されている。
【０２４０】
基地局は、まず、インデックスマッピング情報を端末に送信する。前記４ビットを「ａｂｃｄ」とする時、システムでサポート可能な副サービングセル間のマッピングは、次のように行われる。即ち、ビットａにサービングセルインデックス{１}がマッピングされ、ビットｂにサービングセルインデックス{２}がマッピングされ、ビットｃにサービングセルインデックス{４}がマッピングされ、ビットｄにサービングセルインデックス{３}がマッピングされる。即ち、ａｂｃｄ⇔{１,２,４,３}のマッピング関係が成立する。
【０２４１】
然しながら、サービングセルインデックス{１}である副サービングセルは、端末に設定されていないため、ビットａ＝０にセッティングされる。残りのｂｃｄ＝１００であるため、活性指示ＭＡＣ制御要素２５００は、サービングセルインデックス{２}である副サービングセルの活性化を指示し、サービングセルインデックス{３、４}である副サービングセルの非活性化を指示する。
【０２４２】
２．Ｃａｓｅ２による活性化指示子の構造
【０２４３】
Ｃａｓｅ２による活性化指示子は、Ｃａｓｅ１と違って、副サービングセルだけでなく、主サービングセルの活性化/非活性化の指示を明示的に含む。従って、活性指示ＭＡＣ制御要素の少なくとも１ビットは、主サービングセルのサービングセルインデックスに対応し、このような点で、Ｃａｓｅ２の活性化指示子の構造はＣａｓｅ１と相違する。以下、サービングセルは、主サービングセルと副サービングセルの両方ともを含む用語である。また、サービングセルインデックスは、主サービングセルのサービングセルインデックス及び副サービングセルのサービングセルインデックスの双方を意味する。主サービングセルのサービングセルインデックスと周波数インデックスは、端末別または基地局別に異なるように決定されることができる。然しながら、特別な場合を除き、本明細書の全体的な説明の一貫性のために、主サービングセルのサービングセルインデックスは０であり、主サービングセルの周波数インデックスはＦ０であるとする。
【０２４４】
図２６は、本発明の他の実施形態による活性化指示子を構成するＭＡＣ制御要素を示す。ここで、システムでサポート可能なサービングセルの個数は、活性指示ＭＡＣ制御要素のビット数と同じであり、サポート可能なサービングセルが８個であり、８個のサービングセルが端末内に設定されている。
【０２４５】
図２６を参照すると、活性指示ＭＡＣ制御要素２６００は、８ビット長さを有する。活性指示ＭＡＣ制御要素２６００の各位置のビットは、各サービングセルのインデックスと１対１に対応する。ここで、サービングセルインデックスは、副サービングセル(ＳＳＣ)または主サービングセルのサービングセルインデックスを、備える。主サービングセルのサービングセルインデックスが活性指示ＭＡＣ制御要素２６００の各ビットに明示的に対応している点で、図１７と相違する。従って、サービングセルのインデックスは、０,１,２,３,...,７として与えられる。
【０２４６】
活性指示ＭＡＣ制御要素２６００が８ビットであるため、活性化指示子は、総計１個の主サービングセルのインデックスと７個の副サービングセルのインデックスを、示すことができる。即ち、活性化指示子は、活性化/非活性化を指示することができるコンポーネントキャリアを、最大８個までカバーすることができる。
【０２４７】
サポート可能な全てのサービングセルが端末に設定されていると仮定する。この場合、端末には８個のサービングセルが設定される。活性指示ＭＡＣ制御要素２６００は「１１００１００１」であり、各ビットは、左側から、夫々サービングセルインデックス{７,６,５,４,３,２,１,０}に対応する。ここで、前記１個の主サービングセルのインデックスは、固定値である０に設定される。また、主サービングセルは、常に活性化状態に設定される。これによって、前記主サービングセルに対する活性化指示子は、常に１に設定され得る。
【０２４８】
前に説明したように、主サービングセルは活性化状態にあり且つ常に活性化状態であっても良いので、本発明の実施形態は、更に、前記主サービングセルの活性化状態を指示するための指示情報(即ち、指示子)が前記活性指示ＭＡＣ制御要素２６００に含まれない場合を、含んでも良い。即ち、本発明の実施形態は、前記主サービングセルに対する活性化指示子無しに、予備（Ｒ)ビットで構成されている活性指示ＭＡＣ制御要素２６００を、さらに含む。この時、端末は、前記予備（Ｒ)ビットの値を解析しない。即ち、端末は、前記主サービングセルのインデックスが０であることを認識しているため、別途の解析なしに、前記主サービングセルの状態を常に活性化状態に維持することができる。
【０２４９】
従って、活性化指示子は、サービングセルインデックス{０,３,６,７}に対応するコンポーネントキャリアが活性化されることを指示し、サービングセルインデックス{１,２,４,５}に該当するコンポーネントキャリアが非活性化されることを指示する。活性指示ＭＡＣ制御要素２６００の各ビット位置に対応するサービングセルインデックスの順序は例示に過ぎず、必ず図２６のような順序に配置される必要はなく、他の順序に配置されても良い。ただし、別途のシグナリングがない場合、端末と基地局は、各サービングセルインデックスが活性指示ＭＡＣ制御要素２６００の各ビットにどのような順序で対応するかを、互いに了解していなければならない。
【０２５０】
図２７は、本発明の他の実施形態による活性化指示子を構成するＭＡＣ制御要素を示す。ここで、システムでサポート可能なサービングセルの個数は活性化指示子を構成するＭＡＣ制御要素のビット数と同じであり、端末にはサポート可能なサービングセルのうち一部のみが設定されている。
【０２５１】
図２７を参照すると、活性指示ＭＡＣ制御要素２７００の各ビットには、全てのサービングセルインデックス{０,１,２,３,４,５,６,７}が、順次マッピングされる。端末に設定されないサービングセルのサービングセルインデックスは、{１,２,４}である。従って、{１,２,４}に対応するビットは、常に０にセッティングされる。次に、端末に設定されたサービングセルのサービングセルインデックスは、{０,３,５,６,７}である。ＭＡＣ制御要素２７００は「０１０００００１」であるため、サービングセルインデックス{０,６}であるサービングセルが活性化されることを指示し、サービングセルインデックス{３,５,７}であるサービングセルが非活性化されることを指示する。端末は、端末に設定されていないサービングセルのインデックスに対応するビットは無視する。
【０２５２】
また、端末は、前記主サービングセルに対応して予備（Ｒ)ビットで設定されている活性指示ＭＡＣ制御要素２６００を確認し、前記予備（Ｒ)ビットに対して別途の解析なしに、前記主サービングセルの状態を常に活性化状態に維持することもできる。
【０２５３】
図２６及び図２７は、システムでサポート可能なサービングセルの全個数が活性指示ＭＡＣ制御要素の総ビット数と同じである場合を示す。然しながら、サポート可能なサービングセルの全体個数が活性指示ＭＡＣ制御要素の総ビット数より少ない時には、活性指示ＭＡＣ制御要素の残るビットをどのように活用するかを決定しなければならない。これは図２８以下で説明する。
【０２５４】
図２８は、本発明の他の実施形態による活性化指示子を構成するＭＡＣ制御要素を示す。これは、システムでサポート可能なサービングセルの個数が活性化指示子を構成するＭＡＣ制御要素のビット数より少ない場合である。
【０２５５】
図２８を参照すると、活性指示ＭＡＣ制御要素２８００は、少なくとも一つのＲフィールド２８０５を含む。システムでサポート可能なサービングセルの個数がｋであり、活性指示ＭＡＣ制御要素２８００のビット数がｍの場合、活性指示ＭＡＣ制御要素２８００における残りのｍ−ｋ個のビットは、他の用途(例えば、アップリンクコンポーネントキャリアをダウンリンクコンポーネントキャリアとは独立的に活性化/非活性化する用途)の為にＲフィールド２８０５として残される。例えば、ｍ＝８、ｋ＝５である場合には、３ビット（即ち、８−５）はサービングセルインデックスとして利用されないため、これらビットはＲフィールド２８０５として構成される。
【０２５６】
従って、活性指示ＭＡＣ制御要素２８００は、「ＲＲＲ１１００１」のように表現され、Ｒフィールド２８０５を除いた残りの５ビット（即ち、「１１００１」）は、システムでサポート可能なサービングセルのサービングセルインデックスに、{４,３,２,１,０}の順で各々対応する。即ち、前記５ビットにサービングセルインデックスがマッピングされる順序は、システムでサポート可能なサービングセルのサービングセルインデックスを基準に決定される。
【０２５７】
前記５ビットが指示する情報は、端末に設定されるサービングセルの個数に応じて、次のように変化する。前記５ビットが「ａｂｃｄｅ」とすると、ビットａ、ビットｂ、ビットｃ、ビットｄ、ビットｅにはサービングセルインデックス{４,３,２,１,０}が、順次対応する。
【０２５８】
一例として、システムでサポート可能な全てのサービングセルが端末内で構成されているものと、仮定する。前記５ビットが「１１００１」であるため(ａ＝ｂ＝ｅ＝１、ｃ＝ｄ＝０)、これは、サービングセルインデックス{０,３,４}に該当するコンポーネントキャリアのみが活性化され、残りのサービングセルインデックス{１,２}に該当するコンポーネントキャリアは非活性化されることを指示する。ここで、サービングセルインデックス０は、主サービングセルのサービングセルインデックスである。
【０２５９】
他の例として、システムでサポート可能なサービングセルのうち、サービングセルインデックスが{４,３,１,０}であるサービングセルのみが端末内で構成されているものと、仮定する。即ち、サービングセルインデックスが{２}であるサービングセルは、端末に設定されない。この時、前記５ビットのうちサービングセルインデックス{２}に対応するビット、即ち、ビットｃは、「ａｂ０ｄｅ」のように、常に０にセッティングされる。この場合、端末は、端末に設定されていないサービングセルに対応するビットｃは無視する。また、前記５ビットが「１１００１」であるため(ａ＝ｂ＝ｅ＝１、ｃ＝ｄ＝０)、これは、サービングセルインデックスが{０,３,４}であるコンポーネントキャリアが活性化されることを指示し、サービングセルインデックス{１}に対応するコンポーネントキャリアは非活性化されることを指示する。
【０２６０】
図２９は、本発明の他の実施形態による活性化指示子を構成するＭＡＣ制御要素を示す。ここで、サービングセルインデックスは、各サービングセル(またはコンポーネントキャリア)の物理的中心周波数のインデックスである。また、システムでサポート可能なサービングセルの個数は、活性化指示子を構成するＭＡＣ制御要素のビット数と同じである。
【０２６１】
図２９を参照すると、活性化指示子を構成する活性指示ＭＡＣ制御要素２９００は、８ビット長さを有する。活性指示ＭＡＣ制御要素２９００の各ビットは、サービングセルの周波数インデックスＦｉと１対１に対応する。例えば、サービングセルの周波数インデックス１及び４は、各々、活性指示ＭＡＣ制御要素２９００の８番目のビットと４番目のビットに各々対応する。ここで、Ｆｉは、サービングセル(またはコンポーネントキャリア)の中心周波数ｉに対するインデックスである。例えば、Ｆ０は９０ＭＨｚ、Ｆ１は１００ＭＨｚ、Ｆ２は１２０ＭＨｚ、Ｆ３は１４０ＭＨｚを示す周波数インデックスである。これは例示に過ぎず、必ず周波数インデックスが増加する順に実際周波数大きさが増加するものではなく、周波数の大きさが減少しても良いし、ランダムに定義されても良い。
【０２６２】
活性指示ＭＡＣ制御要素２９００は、最大８個のサービングセルについて、活性化/非活性化を指示することができる。主サービングセルの周波数インデックスをＦ０とすると、残りの副サービングセルの周波数インデックスにはＦ１からＦ７までが与えられる。従って、図２９のように、周波数インデックスＦ０からＦ７は、活性指示ＭＡＣ制御要素２９００の８番目のビットから１番目のビットまで、順次各々マッピングされる。
【０２６３】
システムでサポート可能なサービングセルの周波数インデックスは{Ｆ０,Ｆ１,Ｆ２,Ｆ３,Ｆ４,Ｆ５,Ｆ６,Ｆ７}であり、これらが全部端末に設定されており、このうち、活性化されたサービングセルの周波数インデックスは{Ｆ０,Ｆ３,Ｆ６,Ｆ７}である。従って、活性指示ＭＡＣ制御要素２９００は、「１１００１００１」で表現される。
【０２６４】
ただし、これは例示に過ぎず、周波数インデックスＦ０からＦ７は、活性指示ＭＡＣ制御要素２９００の１番目のビットから８番目のビットまで順次各々マッピングされても良く、ランダムにマッピングされても良い。
【０２６５】
図３０は、本発明の他の例に係る活性化指示子を構成するＭＡＣ制御要素を示す。ここで、サービングセルインデックスは、各サービングセルの物理的中心周波数のインデックスである。また、システムでサポート可能なサービングセルの個数は、活性化指示子を構成するＭＡＣ制御要素のビット数より少ない。
【０２６６】
図３０を参照すると、活性指示ＭＡＣ制御要素３０００は、少なくとも一つのＲフィールド３００５を含む。端末に設定されたサービングセルの個数がｋであり、活性指示ＭＡＣ制御要素３０００のビット数がｍの場合、活性指示ＭＡＣ制御要素３０００内の残りのビット数に対応する長さを有する（ｍ−ｋ）ビットは、他の用途(例えば、アップリンクコンポーネントキャリアをダウンリンクコンポーネントキャリアとは独立的に活性化/非活性化する用途)のために残される。例えば、活性指示ＭＡＣ制御要素３０００のビット数が８であり、システムでサポート可能な最大サービングセルの個数が５であるならば、３ビット（即ち、８−５）がサービングセルの周波数インデックスとして使われないため、これらビットは、Ｒフィールド３００５として構成される。
【０２６７】
従って、活性指示ＭＡＣ制御要素３０００は、「ＲＲＲ１１００１」のように表現され、Ｒフィールド３００５以外の残りの５ビットが、各々、システムでサポート可能なサービングセルの周波数インデックス{Ｆ４,Ｆ３,Ｆ２,Ｆ１,Ｆ０}に対応する。前記残りの５ビットが「１１００１」であるため、周波数インデックス{Ｆ４,Ｆ３,Ｆ０}に該当するコンポーネントキャリアのみが活性化され、残りの周波数インデックス{Ｆ２,Ｆ１}に該当するコンポーネントキャリアが非活性化されることを指示する。
【０２６８】
一方、端末に設定されたサービングセルの個数がシステムでサポート可能なコンポーネントキャリアの最大個数より少ない場合、設定されないサービングセルの周波数インデックスに対応する活性指示ＭＡＣ制御要素３０００のビットは０にセッティングされる。この場合、端末は、端末に設定されていないサービングセルに対応するビットは無視する。
【０２６９】
ここではＲフィールド３００５が３個であると記述したが、これは例示に過ぎず、Ｒフィールド３００５は存在しなくてもよく、３個以上または以下であってもよい。
【０２７０】
図３１は、本発明の他の実施形態による活性化指示子を構成するＭＡＣ制御要素を示す。ここで、端末に設定されるサービングセルの個数は、システムでサポート可能なサービングセルの個数より少ない。ここで、サポート可能なサービングセルの個数が活性指示ＭＡＣ制御要素のビット数と同じであるか異なるかは特に問題とならない。ただし、説明の便宜のために、サポート可能なサービングセルの個数が活性指示ＭＡＣ制御要素の全体ビット数より少なく、活性指示ＭＡＣ制御要素が少なくとも一つのＲフィールドを含むと仮定する。
【０２７１】
図３１を参照すると、活性指示ＭＡＣ制御要素３１００は、３個のＲフィールド３１０５及び５ビットを含む。システムでサポート可能なサービングセルの数が５個であり、これらに対するサービングセルインデックスは{４,３,２,１,０}である。前記５個のサービングセルのうち、ｘ個のセルが、端末に設定される(ｘ≦５)。この時、前記５ビットにサービングセルインデックスがマッピングされる順序は、前記ｘ個のサービングセルに対するサービングセルインデックスを基準に決定され、システムでサポート可能な前記５個のサービングセルのサービングセルインデックスが基準ではない。
【０２７２】
もし、端末に設定される３個のサービングセルのサービングセルインデックスが{３,１,０}である場合、前記５ビットのうち任意の３ビットのみが前記３個のサービングセルの活性化/非活性化を指示し、残りの２ビットは常に０にセッティングされる。例えば、前記５ビットが「ａｂｃｄｅ」である場合、ビットａ、ビットｂは常に０であり、残りのビットｃ、ビットｄ、及びビットｅは、前記３個のサービングセルのサービングセルインデックスに対応する。図３１の例ではサービングセルインデックス{３,１,０}が各々ビットｃ、ビットｄ、及びビットｅに順次対応する。ｃｄｅ＝１０１であるため、活性指示ＭＡＣ制御要素３１００は、サービングセルインデックスが{３,０}であるコンポーネントキャリアの活性化を指示し、サービングセルインデックスが{１}であるコンポーネントキャリアの非活性化を指示する。これは例示に過ぎず、常に０にセッティングされるビットは、ａ、ｂ、ｃ、ｄ、ｅのうちいずれであっても良い。
【０２７３】
ここではＲフィールド３１０５が３個であると記述されたが、これは例示に過ぎず、Ｒフィールド３１０５は存在しなくてもよく、３個以上または以下であってもよい。
【０２７４】
図３２は、本発明の他の実施形態による活性化指示子を構成するＭＡＣ制御要素を示す。これは、端末に設定されるサービングセルの個数がシステムでサポート可能なサービングセルの個数より少なく、サービングセルインデックスが各サービングセルの物理的中心周波数のインデックスである場合である。
【０２７５】
図３２を参照すると、活性指示ＭＡＣ制御要素３２００は、３個のＲフィールド３２０５及び５ビットを含む。システムでサポート可能なサービングセルの数が５個であり、これらに対する周波数インデックスは{Ｆ４,Ｆ３,Ｆ２,Ｆ１,Ｆ０}である。前記５個のサービングセルのうち、ｘ個のセルが端末に設定される(ｘ≦５)。この時、前記５ビットにサービングセルインデックスがマッピングされる順序は、前記ｘ個のサービングセルに対するサービングセルインデックスを基準に決定され、システムでサポート可能な前記５個のサービングセルのサービングセルインデックスが基準ではない。
【０２７６】
もし、端末に設定される３個のサービングセルの周波数インデックスが{Ｆ３,Ｆ１,Ｆ０}である場合、前記５ビットのうち任意の３ビットのみが前記３個のサービングセルの活性化/非活性化を指示し、残りの２ビットは常に０にセッティングされる。例えば、前記５ビットが「ａｂｃｄｅ」である場合、ビットａとビットｂは常に０であり、残りのビットｃ、ビットｄ、及びビットｅは、前記３個のサービングセルのサービングセルインデックスに対応する。図３２の例では、周波数インデックス{Ｆ３,Ｆ１,Ｆ０}は、各々、ビットｃ、ビットｄ、ビットｅに順次対応する。ｃｄｅ＝１０１であるため、活性指示ＭＡＣ制御要素３２００は、周波数インデックスが{Ｆ３,Ｆ０}に対応したコンポーネントキャリアの活性化を指示し、周波数インデックス{Ｆ１}に対応したコンポーネントキャリアの非活性化を指示する。勿論、これは例示に過ぎず、常に０にセッティングされるビットは、ａ、ｂ、ｃ、ｄ、ｅのうちいずれであっても良い。
【０２７７】
ここではＲフィールド３２０５の個数が３個であると記述したが、これは例示に過ぎず、Ｒフィールド３２０５は存在しなくてもよく、３個以上または以下であってもよい。
【０２７８】
図３３は、本発明の他の実施形態による活性化指示子を構成するＭＡＣ制御要素を示す。ここで、基地局は、ＲＲＣシグナリングを用いることによって、活性指示ＭＡＣ制御要素の各ビットが特定順序に並べられたサービングセルインデックスに夫々対応することを、端末に知らせる。また、端末に設定されるサービングセルの個数は、システムでサポート可能なサービングセルの個数と同じである。ここで、サポート可能なサービングセルの個数が活性指示ＭＡＣ制御要素のビット数と同じか異なるかの別は、特に問題とならない。ただし、説明の便宜のために、サポート可能なサービングセルの個数が活性指示ＭＡＣ制御要素の全体ビット数より少なく、活性指示ＭＡＣ制御要素は少なくとも一つのＲフィールドを含むと仮定する。
【０２７９】
図３３を参照すると、活性指示ＭＡＣ制御要素３３００は、３個のＲフィールド３３０５及び５ビットを含む。システムでサポート可能なサービングセルの数が５個であり、これらに対するサービングセルインデックスは、各々、{０,１,２,３,４}であり、全部端末に対して設定されている。
【０２８０】
前記図２６乃至図３２では、ビットとサービングセルインデックスとの間の対応関係が、別途のシグナリング無しに、基地局と端末との間で予め了解されていると、仮定した。これと違って、図３３では、端末はシステムでサポート可能なサービングセルのサービングセルインデックスとビット位置との間のマッピング関係を指示するインデックスマッピング情報(ｉｎｄｅｘ ｍａｐｐｉｎｇ ｉｎｆｏｒｍａｔｉｏｎ)を用いて、各ビット位置とサービングセルインデックスをマッピングする。
【０２８１】
例えば、前記５ビットが「ａｂｃｄｅ」であるとすると、ビットａ、ビットｂ、ビットｃ、ビットｄ、ビットｅは、各々、５個のサービングセルインデックスに対応する。図３３のインデックスマッピング情報によると、ビットａにサービングセルインデックス{１}がマッピングされ、ビットｂにサービングセルインデックス{２}がマッピングされ、ビットｃにサービングセルインデックス{０}がマッピングされ、ビットｄにサービングセルインデックス{４}がマッピングされ、ビットｅにサービングセルインデックス{３}がマッピングされる。
【０２８２】
端末は、インデックスマッピング情報に基づいて各ビット位置にマッピングされるサービングセルインデックスを確定した後、活性化指示子を構成する活性指示ＭＡＣ制御要素３３００に基づいて、各サービングセルの活性化/非活性化を判断する。活性指示ＭＡＣ制御要素３３００中のＲフィールド３３０５以外の残りの５ビットが、ａｂｃｄｅ＝１０１０１である。従って、活性指示ＭＡＣ制御要素３３００は、サービングセルインデックスが{１,０,３}であるコンポーネントキャリアの活性化を指示し、サービングセルインデックスが{２,４}であるコンポーネントキャリアの非活性化を指示する。これによって、端末は、サービングセルインデックス{２,４}に該当するコンポーネントキャリアを受信せずに、サービングセルインデックス{１,０,３}に該当するコンポーネントキャリアのみを受信する。
【０２８３】
図３４は、本発明の他の例に係る活性化指示子を構成するＭＡＣ制御要素を示す。これは、基地局がＲＲＣシグナリングを用いて活性指示ＭＡＣ制御要素の各ビットが特定順序に行われるサービングセルインデックスに各々対応することを端末に知らせる場合である。また、これは、端末に設定されるサービングセルの個数がシステムでサポート可能なサービングセルの個数より少ない場合である。ここで、サポート可能なサービングセルの個数が活性指示ＭＡＣ制御要素のビット数と同じか異なるかの別は、特に問題とならない。ただし、説明の便宜のために、サポート可能なサービングセルの個数が活性指示ＭＡＣ制御要素の全体ビット数より少なく、活性指示ＭＡＣ制御要素は少なくとも一つのＲフィールドを含むと、仮定する。
【０２８４】
図３４を参照すると、活性指示ＭＡＣ制御要素３４００は、３個のＲフィールド３４０５及び５ビットを含む。システムでサポート可能なサービングセルの数は５個であり、これらに対するサービングセルインデックスは、各々、{０,１,２,３,４}であり、このうち{０,３,４}であるサービングセルのみが端末に対して設定されている。
【０２８５】
基地局は、まず、インデックスマッピング情報を端末に送信する。前記５ビットをａｂｃｄｅとする時、システムでサポート可能なサービングセル間のマッピングは、次のように行われ得る。即ち、ビットａにサービングセルインデックス{１}がマッピングされ、ビットｂにサービングセルインデックス{２}がマッピングされ、ビットｃにサービングセルインデックス{０}がマッピングされ、ビットｄにサービングセルインデックス{４}がマッピングされ、ビットｅにサービングセルインデックス{３}がマッピングされる。即ち、ａｂｃｄｅ⇔{１,２,０,４,３}のマッピング関係が成立する。
【０２８６】
然しながら、サービングセルインデックス{１,２}であるサービングセルは、端末に設定されていないため、ビットａ＝ビットｂ＝０にセッティングされる。残りのｃｄｅ＝１０１であるため、活性指示ＭＡＣ制御要素３４００は、サービングセルインデックス{０,３}であるサービングセルの活性化を指示し、サービングセルインデックス{４}である副サービングセルの非活性化を指示する。
【０２８７】
図３５は、本発明の一例に係る活性化指示子の送信方法を示すフローチャートである。
【０２８８】
図３５を参照すると、基地局は、インデックスマッピング情報を端末に送信する(Ｓ３５００)。インデックスマッピング情報は、システムでサポート可能な副サービングセルのサービングセルインデックスとビット位置との間のマッピング関係を指示する情報である。端末は、インデックスマッピング情報に基づいて以後に受信する活性指示ＭＡＣ制御要素の各ビットを、サービングセルインデックスと対応させることができる。端末は、前記インデックスマッピング情報を成功的に受信し、前記インデックスマッピング情報に基づいて活性指示ＭＡＣ制御要素の各ビットをサービングセルインデックスと対応させると、マッピング確認情報(ｍａｐｐｉｎｇ ｃｏｎｆｉｒｍａｔｉｏｎ ｉｎｆｏｒｍａｔｉｏｎ)を基地局に送信する(Ｓ３５０５)。
【０２８９】
前記インデックスマッピング情報と前記マッピング確認情報は、ＭＡＣメッセージ、ＲＲＣメッセージ、及び物理階層メッセージのうち、いずれか一つである。
【０２９０】
基地局は、活性化指示子を端末に送信する(Ｓ３５１０)。活性化指示子は、前記図１６乃至図３４で説明された実施例による構造を有することができ、その他、類似の多様な形態に変形が可能である。
【０２９１】
図面には示されていないが、端末は、前記活性化指示子を用いて特定サービングセルインデックスに対する特定コンポーネントキャリアを活性化させたり(または受信したり)、或いは非活性化させる(または受信しない)こともある。
【０２９２】
以上の説明は、本発明の技術思想を例示的に説明したことに過ぎず、本発明が属する技術分野において通常の知識を有する者であれば、本発明の本質的な特性から外れない範囲で多様な修正及び変形が可能である。従って、本発明に開示された実施例は、本発明の技術思想を限定するためのものではなく、説明するためのものであり、このような実施例により本発明の技術思想の範囲が限定されるものではない。
【０２９３】
本発明の保護範囲は、特許請求の範囲により解釈されなければならず、それと同等な範囲内にある全ての技術思想は、本発明の権利範囲に含まれると解釈されなければならない。
【図３】
0005525055.tif 000004
【図４】
0005525055.tif 000005
【図５】
0005525055.tif 000006
【図１２】
0005525055.tif 000007
【図１６】
0005525055.tif 000008
【図１】
0005525055.tif 000009
【図２】
0005525055.tif 000010
【図６】
0005525055.tif 000011
【図７】
0005525055.tif 000012
【図８】
0005525055.tif 000013
【図９】
0005525055.tif 000014
【図１０】
0005525055.tif 000015
【図１１】
0005525055.tif 000016
【図１３】
0005525055.tif 000017
【図１４】
0005525055.tif 000018
【図１５】
0005525055.tif 000019
【図１７】
0005525055.tif 000020
【図１８】
0005525055.tif 000021
【図１９】
0005525055.tif 000022
【図２０】
0005525055.tif 000023
【図２１】
0005525055.tif 000024
【図２２】
0005525055.tif 000025
【図２３】
0005525055.tif 000026
【図２４】
0005525055.tif 000027
【図２５】
0005525055.tif 000028
【図２６】
0005525055.tif 000029
【図２７】
0005525055.tif 000030
【図２８】
0005525055.tif 000031
【図２９】
0005525055.tif 000032
【図３０】
0005525055.tif 000033
【図３１】
0005525055.tif 000034
【図３２】
0005525055.tif 000035
【図３３】
0005525055.tif 000036
【図３４】
0005525055.tif 000037
【図３５】
0005525055.tif 000038